(57)【要約】      （修正有）【課題】自転車のハンドル等の電気ランプ設置場所から工具なしで手軽に取り外し出来、高性能電気ランプや蓄電池の盗難を防ぐことが可能なシャックル錠の提供。【解決手段】前端部に発光素子２６ａを備え、内部に蓄電池１７ａが挿入された棒体１ａに略Ｕ字状棒体８ａの一端５ａが揺動可能に支持されている。蓋体2ａの後端部にはシリンダ錠の錠本体１２ａが圧入されている。棒体１ａの後端部の螺合部１８ａに、蓋体2ａの螺合部１８ａが螺合されることで電気的に接続されると共に、略Ｕ字状棒体８ａの他端７ａが蓋体2ａに設けられた穴１３ａに挿入されることで棒体１ａと蓋体2ａは相対回転がほぼ不能となり、分割不能となる。略Ｕ字状棒体８ａの他端７ａの係止形状６ａに、錠本体１２ａの内筒２３ａと一体に成形された係止片４５ａが係合されることで、略Ｕ字状棒体８ａの他端７ａは錠本体１２ａに係止される。【選択図】図３
2007309081.tif 000002
【特許請求の範囲】
【請求項１】
一端に第１嵌合形状及び内部への入口を備える、屈曲不能な棒体と、
前記第１嵌合形状に嵌合可能な第２嵌合形状を一端に備え、前記嵌合によって前記入口に蓋をする、屈曲不能な蓋体と、
前記棒体及び前記蓋体の一方、に一端が揺動可能に支持される、屈曲不能な略U字状棒体と、
前記略U字状棒体の他端に設けられる係止形状と、
前記棒体及び前記蓋体の他方、に設けられて前記係止形状を係止可能な錠本体と、
前記棒体の他端及び前記蓋体の他端のどちらかに備えられる発光素子と、
前記入口から前記棒体の内部に抜き差し可能である蓄電池と、
前記蓄電池から前記発光素子に電気を伝える電気制御伝達経路と、
を備え、
前記嵌合された状態で、前記錠本体が前記係止形状を係止している際は、前記嵌合が外れる方向に前記棒体と前記蓋体が相対移動して前記入口に蓋をしている前記蓋体が外れるのを前記略Ｕ字状棒体が妨げる、
携帯式の施錠装置。
【請求項２】
一端に第１嵌合形状及び内部への入口を備える、屈曲不能な棒体と、
前記第１嵌合形状に嵌合可能な第２嵌合形状を一端に備え、前記嵌合によって前記入口に蓋をする、屈曲不能な蓋体と、
前記棒体及び前記蓋体の一方、に一端が揺動可能に支持される、屈曲不能な略U字状棒体と、
前記棒体及び前記蓋体の他方、に設けられる係止形状と、
前記略U字状棒体の他端に設けられて前記係止形状を係止可能な錠本体と、
前記棒体の他端及び前記蓋体の他端のどちらかに備えられる発光素子と、
前記入口から前記棒体の内部に抜き差し可能である蓄電池と、
前記蓄電池から前記発光素子に電気を伝える電気制御伝達経路と、
を備え、
前記嵌合された状態で、前記錠本体が前記係止形状を係止している際は、前記嵌合が外れる方向に前記棒体と前記蓋体が相対移動して前記入口に蓋をしている前記蓋体が外れるのを前記略Ｕ字状棒体が妨げる、
携帯式の施錠装置。
【請求項３】
一端に第１嵌合形状及び内部への入口を備える、屈曲不能な棒体と、
前記第１嵌合形状に嵌合可能な第２嵌合形状を一端に備え、前記嵌合によって前記入口に蓋をする、屈曲不能な蓋体と、
前記棒体及び前記蓋体の一方、に設けられた第１係合形状に一端が係合可能で、屈曲不能な略U字状棒体と、
前記略U字状棒体の他端に設けられる係止形状と、
前記棒体及び前記蓋体の他方、に設けられて前記係止形状を係止可能な錠本体と、
前記棒体の他端及び前記蓋体の他端のどちらかに備えられる発光素子と、
前記入口から前記棒体の内部に抜き差し可能である蓄電池と、
前記蓄電池から前記発光素子に電気を伝える電気制御伝達経路と、
を備え、
前記嵌合された状態で、前記第１係合形状に略Ｕ字状棒体の一端が係合され、前記錠本体が前記係止形状を係止している際は、前記嵌合が外れる方向に前記棒体と前記蓋体が相対移動して前記入口に蓋をしている前記蓋体が外れるのを前記略Ｕ字状棒体が妨げる、
携帯式の施錠装置。
【請求項４】
一端に第１嵌合形状及び内部への入口を備える、屈曲不能な棒体と、
前記第１嵌合形状に嵌合可能な第２嵌合形状を一端に備え、前記嵌合によって前記入口に蓋をする、屈曲不能な蓋体と、
前記棒体及び前記蓋体の一方、に設けられた第１係合形状に一端が係合可能で、屈曲不能な略U字状棒体と、
前記棒体及び前記蓋体の他方、に設けられる係止形状と、
前記略U字状棒体の他端に設けられて前記係止形状を係止可能な錠本体と、
前記棒体の他端及び前記蓋体の他端のどちらかに備えられる発光素子と、
前記入口から前記棒体の内部に抜き差し可能である蓄電池と、
前記蓄電池から前記発光素子に電気を伝える電気制御伝達経路と、
を備え、
前記嵌合された状態で、前記第１係合形状に略Ｕ字状棒体の一端が係合され、前記錠本体が前記係止形状を係止している際は、前記嵌合が外れる方向に前記棒体と前記蓋体が相対移動して前記入口に蓋をしている前記蓋体が外れるのを前記略Ｕ字状棒体が妨げる、
携帯式の施錠装置。
【請求項５】
一端に第１嵌合形状及び内部への入口を備える、屈曲不能な棒体と、
前記第１嵌合形状に嵌合可能な第２嵌合形状を一端に備え、前記嵌合によって前記入口に蓋をする、屈曲不能な蓋体と、
前記棒体及び前記蓋体の一方、に一端が接続される、屈曲可能な線状体と、
前記線状体の他端に設けられる係止形状と、
前記棒体及び前記蓋体の他方、に設けられて前記係止形状を係止可能な錠本体と、
前記棒体の他端及び前記蓋体の他端のどちらかに備えられる発光素子と、
前記入口から前記棒体の内部に抜き差し可能である蓄電池と、
前記蓄電池から前記発光素子に電気を伝える電気制御伝達経路と、
を備え、
前記嵌合された状態で、前記錠本体が前記係止形状を係止している際は、前記嵌合が外れる方向に前記棒体と前記蓋体が相対移動して前記入口に蓋をしている前記蓋体が外れるのを前記線状体が妨げる、
携帯式の施錠装置。
【請求項６】
一端に第１嵌合形状及び内部への入口を備える、屈曲不能な棒体と、
前記第１嵌合形状に嵌合可能な第２嵌合形状を一端に備え、前記嵌合によって前記入口に蓋をする、屈曲不能な蓋体と、
前記棒体及び前記蓋体の一方、に一端が接続される、屈曲可能な線状体と、
前記棒体及び前記蓋体の他方、に設けられる係止形状と、
前記線状体の他端に設けられて前記係止形状を係止可能な錠本体と、
前記棒体の他端及び前記蓋体の他端のどちらかに備えられる発光素子と、
前記入口から前記棒体の内部に抜き差し可能である蓄電池と、
前記蓄電池から前記発光素子に電気を伝える電気制御伝達経路と、
を備え、
前記嵌合された状態で、前記錠本体が前記係止形状を係止している際は、前記嵌合が外れる方向に前記棒体と前記蓋体が相対移動して前記入口に蓋をしている前記蓋体が外れるのを前記線状体が妨げる、
携帯式の施錠装置。
【請求項７】
前記棒体及び前記蓋体の他方、に設けられて前記係止形状を挿入可能な穴を備え、
前記錠本体は前記穴から挿入された前記係止形状を係止可能である、
請求項１、請求項３及び請求項５のいずれかに記載の携帯式の施錠装置。
【請求項８】
前記発光素子は、
前記棒体及び前記蓋体の一方、の他端に備えられる、
請求項７に記載の携帯式の施錠装置。
【請求項９】
前記電気制御伝達経路は、
前記錠本体と一対となる鍵によって開閉される、
請求項８に記載の携帯式の施錠装置。
【請求項１０】
前記略U字状棒体の他端に設けられて前記係止形状を挿入可能な穴を備え、
前記錠本体は前記穴から挿入された前記係止形状を係止可能である、
請求項２及び請求項４のいずれかに記載の携帯式の施錠装置。
【請求項１１】
前記線状体の他端に設けられて前記係止形状を挿入可能な穴を備え、
前記錠本体は前記穴から挿入された前記係止形状を係止可能である、
請求項６に記載の携帯式の施錠装置。
【請求項１２】
自転車を構成する棒状部を囲うように取り付け可能で、前記棒体及び前記蓋体の少なくとも一方を係合可能な第２係合形状を有するブラケット体を新たに備える、
請求項１から請求項１１のいずれかに記載の携帯式の施錠装置。
【請求項１３】
自転車を構成する棒状部を囲うように取り付け可能で、前記略Ｕ字状棒体又は前記線状体を係合可能な第３係合形状を有するブラケット体を新たに備える、
請求項１から請求項１１のいずれかに記載の携帯式の施錠装置。
【請求項１４】
前記ブラケット体は、
前記第２係合形状に前記棒体及び前記蓋体の少なくとも一方を係合させてから前記係止形状を前記錠本体が係止可能な位置まで移動させることで、前記略Ｕ字状棒体又は前記線状体を係合可能な第３係合形状を有する、
請求項１２に記載の携帯式の施錠装置。
【請求項１５】
一端に第１嵌合形状及び内部への入口を備える、屈曲不能な棒体と、
前記第１嵌合形状に嵌合可能な第２嵌合形状を一端に備え、前記嵌合によって前記入口に蓋をする蓋体と、
前記棒体に一端が揺動可能に支持される、屈曲不能な略U字状棒体と、
前記略U字状棒体の他端に設けられる係止形状と、
前記棒体に設けられて前記係止形状を係止可能な錠本体と、
前記棒体の他端及び前記蓋体の他端のどちらかに備えられる発光素子と、
前記入口から前記棒体の内部に抜き差し可能である蓄電池と、
前記蓄電池から前記発光素子に電気を伝える電気制御伝達経路と、
を備える、
携帯式の施錠装置。
【請求項１６】
一端に第１嵌合形状及び内部への入口を備える、屈曲不能な棒体と、
前記第１嵌合形状に嵌合可能な第２嵌合形状を一端に備え、前記嵌合によって前記入口に蓋をする蓋体と、
前記棒体に一端が揺動可能に支持される、屈曲不能な略U字状棒体と、
前記棒体に設けられる係止形状と、
前記略U字状棒体の他端に設けられて前記係止形状を係止可能な錠本体と、
前記棒体の他端及び前記蓋体の他端のどちらかに備えられる発光素子と、
前記入口から前記棒体の内部に抜き差し可能である蓄電池と、
前記蓄電池から前記発光素子に電気を伝える電気制御伝達経路と、
を備える、
携帯式の施錠装置。
【請求項１７】
一端に第１嵌合形状及び内部への入口を備える、屈曲不能な棒体と、
前記第１嵌合形状に嵌合可能な第２嵌合形状を一端に備え、前記嵌合によって前記入口に蓋をする蓋体と、
前記棒体に設けられた第１係合形状に一端が係合可能で、屈曲不能な略U字状棒体と、
前記略U字状棒体の他端に設けられる係止形状と、
前記棒体に設けられて前記係止形状を係止可能な錠本体と、
前記棒体の他端及び前記蓋体の他端のどちらかに備えられる発光素子と、
前記入口から前記棒体の内部に抜き差し可能である蓄電池と、
前記蓄電池から前記発光素子に電気を伝える電気制御伝達経路と、
を備える、
携帯式の施錠装置。
【請求項１８】
一端に第１嵌合形状及び内部への入口を備える、屈曲不能な棒体と、
前記第１嵌合形状に嵌合可能な第２嵌合形状を一端に備え、前記嵌合によって前記入口に蓋をする蓋体と、
前記棒体に設けられた第１係合形状に一端が係合可能で、屈曲不能な略U字状棒体と、
前記棒体に設けられる係止形状と、
前記略U字状棒体の他端に設けられて前記係止形状を係止可能な錠本体と、
前記棒体の他端及び前記蓋体の他端のどちらかに備えられる発光素子と、
前記入口から前記棒体の内部に抜き差し可能である蓄電池と、
前記蓄電池から前記発光素子に電気を伝える電気制御伝達経路と、
を備える、
携帯式の施錠装置。
【請求項１９】
一端に第１嵌合形状及び内部への入口を備える、屈曲不能な棒体と、
前記第１嵌合形状に嵌合可能な第２嵌合形状を一端に備え、前記嵌合によって前記入口に蓋をする蓋体と、
前記棒体に一端が接続される、屈曲可能な線状体と、
前記線状体の他端に設けられる係止形状と、
前記棒体に設けられて前記係止形状を係止可能な錠本体と、
前記棒体の他端及び前記蓋体の他端のどちらかに備えられる発光素子と、
前記入口から前記棒体の内部に抜き差し可能である蓄電池と、
前記蓄電池から前記発光素子に電気を伝える電気制御伝達経路と、
を備える、
携帯式の施錠装置。
【請求項２０】
一端に第１嵌合形状及び内部への入口を備える、屈曲不能な棒体と、
前記第１嵌合形状に嵌合可能な第２嵌合形状を一端に備え、前記嵌合によって前記入口に蓋をする蓋体と、
前記棒体に一端が接続される、屈曲可能な線状体と、
前記棒体に設けられる係止形状と、
前記線状体の他端に設けられて前記係止形状を係止可能な錠本体と、
前記棒体の他端及び前記蓋体の他端のどちらかに備えられる発光素子と、
前記入口から前記棒体の内部に抜き差し可能である蓄電池と、
前記蓄電池から前記発光素子に電気を伝える電気制御伝達経路と、
を備える、
携帯式の施錠装置。
【請求項２１】
前記棒体に設けられて前記係止形状を挿入可能な穴を備え、
前記錠本体は前記穴から挿入された前記係止形状を係止可能である、
請求項１５、請求項１７及び請求項１９のいずれかに記載の携帯式の施錠装置。
【請求項２２】
前記発光素子は、
前記棒体及び前記蓋体の一方、の他端に備えられる、
請求項２１に記載の携帯式の施錠装置。
【請求項２３】
前記電気制御伝達経路は、
前記錠本体と一対となる鍵によって開閉される、
請求項２２に記載の携帯式の施錠装置。
【請求項２４】
前記略U字状棒体の他端に設けられて前記係止形状を挿入可能な穴を備え、
前記錠本体は前記穴から挿入された前記係止形状を係止可能である、
請求項１６及び請求項１８のいずれかに記載の携帯式の施錠装置。
【請求項２５】
前記線状体の他端に設けられて前記係止形状を挿入可能な穴を備え、
前記錠本体は前記穴から挿入された前記係止形状を係止可能である、
請求項２０に記載の携帯式の施錠装置。
【請求項２６】
自転車を構成する棒状部を囲うように取り付け可能で、前記棒体を係合可能な第２係合形状を有するブラケット体を新たに備える、
請求項１５から請求項２５のいずれかに記載の携帯式の施錠装置。
【請求項２７】
自転車を構成する棒状部を囲うように取り付け可能で、前記略Ｕ字状棒体又は前記線状体を係合可能な第３係合形状を有するブラケット体を新たに備える、
請求項１５から請求項２５のいずれかに記載の携帯式の施錠装置。
【請求項２８】
前記ブラケット体は、
前記第２係合形状に前記棒体を係合させてから前記係止形状を前記錠本体が係止可能な位置まで移動させることで、前記略Ｕ字状棒体又は前記線状体を係合可能な第３係合形状を有する、
請求項２６に記載の携帯式の施錠装置。
【発明の詳細な説明】
【技術分野】
【０００１】
本発明は、携帯式の施錠装置に関する。
【背景技術】
【０００２】
携帯式の施錠装置においては、特許文献１及び特許文献２のように被施錠物に略Ｕ字状棒を通してから略Ｕ字状棒に略Ｉ字状棒を係止することで施錠するものや、特許文献３のように被施錠物にワイヤーを通してからワイヤーがループ状になるように係止することで施錠するものがよく知られている。
【０００３】
【特許文献１】特開２００２−３０９８２９号公報
【特許文献２】実開平０４−１１１８７８号公報
【特許文献３】特開２００２−３７１７３８号公報
【０００４】
携帯式の電気ランプにおいては、手で握って対象物を照らす懐中電灯や、バンドによって頭に装着して両手を自由にし、夜釣り等を行うものや、専用のブラケットによって自転車のハンドル等に装着し、前方の路面を照らすものなどがある。
【０００５】
また、携帯式の電気ランプの中でも自転車用の電気ランプは、スポーツタイプの自転車のように自転車用発電機の回転抵抗、重量、取り付けの手間が敬遠される場合や、電気ランプの盗難に備えて手軽に電気ランプを付け外ししたい場合に使用されることが多い。（特許文献４参照）
【０００６】
【特許文献４】特開２００１−２３３２６４号公報
【０００７】
いずれの電気ランプにおいても、小型、軽量で、十分明るくても蓄電池の持続時間が長いものが好まれている。これらの要素を実現するために、真空バルブが主流だった発光素子において、近年は高性能なハロゲンバルブや照明用発光ダイオードが採用され、将来的には照明用有機ELも注目されており、また、マンガン乾電池やニッケルカドミウム充電池が主流だった蓄電池においても、近年はリチウム乾電池やリチウムイオン充電池が採用され、将来的には燃料電池も注目されている。
【０００８】
また、特許文献５のように、自転車のフレームのフォーク部に設けられた係止形状に係止されることで車輪の回転を妨げるように施錠される略Ｉ字状棒に、電気ランプの機能をもたせたものが知られている。
【０００９】
【特許文献５】特開平１１−５９５２５号公報
【発明の開示】
【発明が解決しようとする課題】
【００１０】
近年及び将来的に高性能された電気式の発光素子によって蓄電池の持続時間は飛躍的に伸びて、蓄電池の交換頻度や充電頻度は減少すると考えられるが、それでも交換や充電を不要にすることは困難であり、自転車のハンドル等の電気ランプ設置場所から工具なしで手軽に取り外し出来ることが望まれるが、これが仇となって駐輪時等に高性能電気ランプや蓄電池が盗難にあう可能性が高くなってしまう。
【００１１】
これは、携帯式の施錠装置は二番手の施錠装置として用いられることが多く、短時間の買い物などでは携帯式の施錠装置は自転車の前カゴ等に入れっぱなしで施錠しないか、予め自転車のフレームに設置された馬蹄形錠のような施錠・開錠がとても速やかに完了できる一番手の施錠装置を使用することが多い為である。
【００１２】
また、自転車のフレームに予め設置されない、盗難防止を意識した二番手の施錠装置は、使用しないときの携帯性に難があるものが多く、例えばスポーツタイプの自転車のようにカゴの無い自転車では、ハンドルに引っ掛けて頑丈そうな施錠装置をふらふらさせながら走行しているのをよく見かける。
このような携帯方法はハンドル操作の妨げとなるし、フレームがアルミやカーボンで薄肉化され、美しい塗装が施されたスポーツタイプの自転車では、固定されずにふらふらと動く施錠装置がフレームを損傷することが非常に心苦しいし、自転車のフレームに予め設置される馬蹄形錠や特許文献５のような施錠装置は元々採用が困難である。
だからといって、施錠装置を使用しないときに施錠装置を折りたたんだり、収納したり、自転車等に固定する手間がかかれば、いざ使用しようとするときにも手間がかかり、ついつい施錠がおろそかになることも考えられる。
【００１３】
また、高性能化された蓄電地は過充電、過放電、出力短絡等の保護回路を内蔵しているものが多く、また、高性能化された発光素子は制御回路を必要とするものが多く、衝撃や水の進入等に細心の注意を払う必要が生じてしまう。
【００１４】
また、小型化された蓄電池や発光素子は、単独では十分な放熱性能を持ち合わせていないものが多く、熱をよく伝える金属性の筐体が有利となってくる。
【００１５】
そこで、蓄電池や発光素子を熱や衝撃等から守る為だけに、頑丈な筐体を採用してしまうと、結局電気ランプが重くて大きいものに逆戻りしてしまい、蓄電池や発光素子の進化によるメリットを享受できなくなってしまう。
【課題を解決するための手段】
【００１６】
本発明の実施形態図等を用いて以下に説明するが、これは本発明の内容をより把握しやすいようにする為で、添付の特許請求の範囲を縮小するものではない。
また、各図に記載の符号は数字のみ、あるいは数字とアルファベットの小文字で構成されているが、数字が同一であるということは、互いに対応している部分であることを表す。よって、数字のみの符号は、数字が同一であり数字とアルファベットの小文字で構成される符号を含む。
【００１７】
発明１に係る携帯式の施錠装置は、例えば図１から図４のように、
一端に第１嵌合形状及び内部への入口を備える、屈曲不能な棒体１と、
前記第１嵌合形状に嵌合可能な第２嵌合形状を一端に備え、前記嵌合によって前記入口に蓋をする、屈曲不能な蓋体２と、
棒体１及び蓋体２の一方、に一端５が揺動可能に支持される、屈曲不能な略U字状棒体８と、
略U字状棒体８の他端７に設けられる係止形状６と、
棒体１及び蓋体２の他方、に設けられて係止形状６を係止可能な錠本体１２と、
棒体１の他端及び蓋体２の他端のどちらかに備えられる発光素子２６と、
前記入口から棒体１の内部に抜き差し可能である蓄電池１７と、
蓄電池１７から発光素子２６に電気を伝える電気制御伝達経路と、
を備え、
前記嵌合された状態で、錠本体１２が係止形状６を係止している際は、前記嵌合が外れる方向に棒体１と蓋体２が相対移動して前記入口に蓋をしている蓋体２が外れるのを略Ｕ字状棒体８が妨げる、
携帯式の施錠装置である。
【００１８】
発明２に係る携帯式の施錠装置は、例えば図１５及び図１６のように、
一端に第１嵌合形状及び内部への入口を備える、屈曲不能な棒体１と、
前記第１嵌合形状に嵌合可能な第２嵌合形状を一端に備え、前記嵌合によって前記入口に蓋をする、屈曲不能な蓋体２と、
棒体１及び蓋体２の一方、に一端５が揺動可能に支持される、屈曲不能な略U字状棒体８と、
棒体１及び蓋体２の他方、に設けられる係止形状６と、
略U字状棒体８の他端７に設けられて係止形状６を係止可能な錠本体１２と、
棒体１の他端及び蓋体２の他端のどちらかに備えられる発光素子と、
前記入口から棒体１の内部に抜き差し可能である蓄電池と、
前記蓄電池から前記発光素子に電気を伝える電気制御伝達経路と、
を備え、
前記嵌合された状態で、錠本体１２が係止形状６を係止している際は、前記嵌合が外れる方向に棒体１と蓋体２が相対移動して前記入口に蓋をしている蓋体２が外れるのを略Ｕ字状棒体８が妨げる、
携帯式の施錠装置である。
【００１９】
発明３に係る携帯式の施錠装置は、例えば図９及び図１０のように、
一端に第１嵌合形状及び内部への入口を備える、屈曲不能な棒体１と、
前記第１嵌合形状に嵌合可能な第２嵌合形状を一端に備え、前記嵌合によって前記入口に蓋をする、屈曲不能な蓋体２と、
棒体１及び蓋体２の一方、に設けられた係合形状５８に一端５９が係合可能で、屈曲不能な略U字状棒体８と、
略U字状棒体８の他端に設けられる係止形状６と、
棒体１及び蓋体２の他方、に設けられて係止形状６を係止可能な錠本体１２と、
棒体１の他端及び蓋体２の他端のどちらかに備えられる発光素子と、
前記入口から棒体１の内部に抜き差し可能である蓄電池と、
前記蓄電池から前記発光素子に電気を伝える電気制御伝達経路と、
を備え、
前記嵌合された状態で、係合形状５８に略Ｕ字状棒体８の一端５９が係合され、錠本体１２が係止形状６を係止している際は、前記嵌合が外れる方向に棒体１と蓋体２が相対移動して前記入口に蓋をしている蓋体２が外れるのを略Ｕ字状棒体８が妨げる、
携帯式の施錠装置である。
【００２０】
発明４に係る携帯式の電気ランプは、例えば図９、図１０、図１５及び図１６を用いて説明すると、
一端に第１嵌合形状及び内部への入口を備える、屈曲不能な棒体１と、
前記第１嵌合形状に嵌合可能な第２嵌合形状を一端に備え、前記嵌合によって前記入口に蓋をする、屈曲不能な蓋体２と、
棒体１及び蓋体２の一方、に設けられた係合形状５８cに一端５９cが係合可能で、屈曲不能な略U字状棒体８と、
棒体１及び蓋体２の他方、に設けられる係止形状６eと、
略U字状棒体８の他端７eに設けられて係止形状６eを係止可能な錠本体１２eと、
棒体１の他端及び蓋体２の他端のどちらかに備えられる発光素子と、
前記入口から棒体１の内部に抜き差し可能である蓄電池と、
前記蓄電池から前記発光素子に電気を伝える電気制御伝達経路と、
を備え、
前記嵌合された状態で、係合形状５８cに略Ｕ字状棒体８の一端５９cが係合され、錠本体１２eが係止形状６eを係止している際は、前記嵌合が外れる方向に棒体１と蓋体２が相対移動して前記入口に蓋をしている蓋体２が外れるのを略Ｕ字状棒体８が妨げる、
携帯式の施錠装置である。
【００２１】
発明５に係る携帯式の施錠装置は、例えば図１２及び図１３のように、
一端に第１嵌合形状及び内部への入口を備える、屈曲不能な棒体１と、
前記第１嵌合形状に嵌合可能な第２嵌合形状を一端に備え、前記嵌合によって前記入口に蓋をする、屈曲不能な蓋体２と、
棒体１及び蓋体２の一方、に一端６０が接続される、屈曲可能な線状体６１と、
線状体６１の他端７に設けられる係止形状６と、
棒体１及び蓋体２の他方、に設けられて係止形状６を係止可能な錠本体１２と、
棒体１の他端及び蓋体２の他端のどちらかに備えられる発光素子と、
前記入口から前記棒体の内部に抜き差し可能である蓄電池と、
前記蓄電池から前記発光素子に電気を伝える電気制御伝達経路と、
を備え、
前記嵌合された状態で、錠本体１２が係止形状６を係止している際は、前記嵌合が外れる方向に棒体１と蓋体２が相対移動して前記入口に蓋をしている蓋体２が外れるのを線状体６１が妨げる、
携帯式の施錠装置。
【００２２】
発明６に係る携帯式の電気ランプは、例えば図１２、図１３、図１５及び図１６を用いて説明すると、
一端に第１嵌合形状及び内部への入口を備える、屈曲不能な棒体１と、
前記第１嵌合形状に嵌合可能な第２嵌合形状を一端に備え、前記嵌合によって前記入口に蓋をする、屈曲不能な蓋体２と、
棒体１及び蓋体２の一方、に一端６０dが接続される、屈曲可能な線状体６１dと、
棒体１及び蓋体２の他方、に設けられる係止形状６eと、
線状体６１dの他端７に設けられて係止形状６eを係止可能な錠本体１２eと、
棒体１の他端及び蓋体２の他端のどちらかに備えられる発光素子と、
前記入口から前記棒体の内部に抜き差し可能である蓄電池と、
前記蓄電池から前記発光素子に電気を伝える電気制御伝達経路と、
を備え、
前記嵌合された状態で、錠本体１２eが係止形状６eを係止している際は、前記嵌合が外れる方向に棒体１と蓋体２が相対移動して前記入口に蓋をしている蓋体２が外れるのを線状体６１が妨げる、
携帯式の施錠装置。
【００２３】
発明７に係る携帯式の施錠装置は、発明１、発明３及び発明５のいずれかの携帯式の施錠装置において、例えば図１から図１４のように、
棒体１及び蓋体２の他方、に設けられて係止形状６を挿入可能な穴１３を備え、
錠本体１２は穴１３から挿入された係止形状６を係止可能である、
携帯式の施錠装置である。
【００２４】
発明８に係る携帯式の施錠装置は、発明７の携帯式の施錠装置において、例えば図３のように、
発光素子２６は、
棒体１及び蓋体２の一方、の他端に備えられる、
携帯式の施錠装置である。
【００２５】
発明９に係る携帯式の施錠装置は、発明８の携帯式の施錠装置において、例えば図２から図４のように、
前記電気制御伝達経路は、
錠本体１２と一対となる鍵１１によって開閉される、
携帯式の施錠装置である。
【００２６】
発明１０に係る携帯式の施錠装置は、発明２及び発明４の携帯式の施錠装置において、例えば図１５及び図１６のように、
略U字状棒体８の他端７に設けられて係止形状６を挿入可能な穴１３を備え、
錠本体１２は穴１３から挿入された係止形状６を係止可能である、
携帯式の施錠装置である。
【００２７】
発明１１に係る携帯式の施錠装置は、発明６の携帯式の施錠装置において、例えば図１２、図１３、図１５及び図１６を用いて説明すると、
線状体６１dの他端７に設けられて係止形状６eを挿入可能な穴１３eを備え、
錠本体１２eは穴１３eから挿入された係止形状６eを係止可能である、
携帯式の施錠装置である。
【００２８】
発明１２に係る携帯式の施錠装置は、発明１から発明１１のいずれかの携帯式の施錠装置において、例えば図１、図２、図５、図１１、図１４及び図１７のように、
自転車を構成する棒状部７６を囲うように取り付け可能で、棒体１及び蓋体２の少なくとも一方を係合可能な係合形状７９を有するブラケット体を新たに備える、
携帯式の施錠装置である。
【００２９】
発明１３に係る携帯式の施錠装置は、発明１から発明１１のいずれかの携帯式の施錠装置において、例えば図１、図２、図５、図１４及び図１７のように、
自転車を構成する棒状部７６を囲うように取り付け可能で、略Ｕ字状棒体８又は前記線状体６１を係合可能な係合形状８０（９１）を有するブラケット体を新たに備える、
携帯式の施錠装置である。
【００３０】
発明１４に係る携帯式の施錠装置は、発明１２の携帯式の施錠装置において、例えば図１、図２、図５、図１４及び図１７のように、
前記ブラケット体は、
係合形状７９に棒体１及び蓋体２の少なくとも一方を係合させてから係止形状６を錠本体１２が係止可能な位置まで移動させることで、略Ｕ字状棒体８又は線状体６１を係合可能な係合形状８０（９１）を有する、
携帯式の施錠装置である。
【００３１】
発明１５に係る携帯式の施錠装置は、例えば図６及び図７のように、
一端に第１嵌合形状及び内部への入口を備える、屈曲不能な棒体１と、
前記第１嵌合形状に嵌合可能な第２嵌合形状を一端に備え、前記嵌合によって前記入口に蓋をする蓋体２と、
棒体１に一端５が揺動可能に支持される、屈曲不能な略U字状棒体８と、
略U字状棒体８の他端７に設けられる係止形状６と、
棒体１に設けられて係止形状６を係止可能な錠本体１２と、
棒体１の他端及び蓋体２の他端のどちらかに備えられる発光素子と、
前記入口から棒体１の内部に抜き差し可能である蓄電池と、
前記蓄電池から前記発光素子に電気を伝える電気制御伝達経路と、
を備える、
携帯式の施錠装置である。
【００３２】
発明１６に係る携帯式の施錠装置は、例えば図６、図７、図１５及び図１６を用いて説明すると、
一端に第１嵌合形状及び内部への入口を備える、屈曲不能な棒体１bと、
前記第１嵌合形状に嵌合可能な第２嵌合形状を一端に備え、前記嵌合によって前記入口に蓋をする蓋体２bと、
棒体１bに一端５が揺動可能に支持される、屈曲不能な略U字状棒体８と、
棒体１bに設けられる係止形状６eと、
略U字状棒体８の他端７に設けられて係止形状６eを係止可能な錠本体１２eと、
棒体１bの他端及び蓋体２bの他端のどちらかに備えられる発光素子と、
前記入口から棒体１bの内部に抜き差し可能である蓄電池と、
前記蓄電池から前記発光素子に電気を伝える電気制御伝達経路と、
を備える、
携帯式の施錠装置である。
【００３３】
発明１７に係る携帯式の施錠装置は、例えば図６、図７、図９及び図１０を用いて説明すると、
一端に第１嵌合形状及び内部への入口を備える、屈曲不能な棒体１bと、
前記第１嵌合形状に嵌合可能な第２嵌合形状を一端に備え、前記嵌合によって前記入口に蓋をする蓋体２bと、
棒体１bに設けられた係合形状５８cに一端５９cが係合可能で、屈曲不能な略U字状棒体８と、
略U字状棒体８の他端７に設けられる係止形状６と、
棒体１bに設けられて係止形状６を係止可能な錠本体１２bと、
棒体１bの他端及び蓋体２bの他端のどちらかに備えられる発光素子と、
前記入口から棒体１bの内部に抜き差し可能である蓄電池と、
前記蓄電池から前記発光素子に電気を伝える電気制御伝達経路と、
を備える、
携帯式の施錠装置である。
【００３４】
発明１８に係る携帯式の施錠装置は、例えば図６、図７、図９、図１０、図１５及び図１６を用いて説明すると、
一端に第１嵌合形状及び内部への入口を備える、屈曲不能な棒体１bと、
前記第１嵌合形状に嵌合可能な第２嵌合形状を一端に備え、前記嵌合によって前記入口に蓋をする蓋体２bと、
棒体１bに設けられた係合形状５８cに一端５９cが係合可能で、屈曲不能な略U字状棒体８と、
棒体１bに設けられる係止形状６eと、
略U字状棒体８の他端７に設けられて係止形状６eを係止可能な錠本体１２eと、
棒体１bの他端及び蓋体２bの他端のどちらかに備えられる発光素子と、
前記入口から棒体１bの内部に抜き差し可能である蓄電池と、
前記蓄電池から前記発光素子に電気を伝える電気制御伝達経路と、
を備える、
携帯式の施錠装置である。
【００３５】
発明１９に係る携帯式の施錠装置は、例えば図６、図７、図１２及び図１３を用いて説明すると、
一端に第１嵌合形状及び内部への入口を備える、屈曲不能な棒体１bと、
前記第１嵌合形状に嵌合可能な第２嵌合形状を一端に備え、前記嵌合によって前記入口に蓋をする蓋体２bと、
棒体１bに一端６０dが接続される、屈曲可能な線状体６１dと、
線状体６１dの他端７に設けられる係止形状６と、
棒体１bに設けられて係止形状６を係止可能な錠本体１２bと、
棒体１bの他端及び蓋体２bの他端のどちらかに備えられる発光素子と、
前記入口から棒体１bの内部に抜き差し可能である蓄電池と、
前記蓄電池から前記発光素子に電気を伝える電気制御伝達経路と、
を備える、
携帯式の施錠装置である。
【００３６】
発明２０に係る携帯式の施錠装置は、例えば図６、図７、図１２、図１３、図１５及び図１６を用いて説明すると、
一端に第１嵌合形状及び内部への入口を備える、屈曲不能な棒体１bと、
前記第１嵌合形状に嵌合可能な第２嵌合形状を一端に備え、前記嵌合によって前記入口に蓋をする蓋体２bと、
棒体１bに一端６０dが接続される、屈曲可能な線状体６１dと、
棒体１bに設けられる係止形状６eと、
線状体６１dの他端７に設けられて係止形状６eを係止可能な錠本体１２eと、
棒体１bの他端及び蓋体２bの他端のどちらかに備えられる発光素子と、
前記入口から棒体１bの内部に抜き差し可能である蓄電池と、
前記蓄電池から前記発光素子に電気を伝える電気制御伝達経路と、
を備える、
携帯式の施錠装置である。
【００３７】
発明２１に係る携帯式の施錠装置は、発明１５、発明１７及び発明１９のいずれかの携帯式の施錠装置において、例えば図６及び図７のように、
棒体１bに設けられて係止形状６を挿入可能な穴１３bを備え、
錠本体１２bは穴１３bから挿入された係止形状６を係止可能である、
携帯式の施錠装置である。
【００３８】
発明２２に係る携帯式の施錠装置は、発明２１の携帯式の施錠装置において、例えば図３、図６及び図７を用いて説明すると、
発光素子２６aは、
棒体１b及び蓋体２bの一方、の他端に備えられる、
携帯式の施錠装置である。
【００３９】
発明２３に係る携帯式の施錠装置は、発明２２の携帯式の施錠装置において、例えば図２、図３、図４、図６及び図７を用いて説明すると、
前記電気制御伝達経路は、
錠本体１２bと一対となる鍵１１bによって開閉される、
携帯式の施錠装置である。
【００４０】
発明２４に係る携帯式の施錠装置は、発明１６及び発明１８の携帯式の施錠装置において、例えば図６、図７、図１５及び図１６のように、
略U字状棒体８の他端７に設けられて係止形状６eを挿入可能な穴１３eを備え、
錠本体１２eは穴１３eから挿入された係止形状６eを係止可能である、
携帯式の施錠装置である。
【００４１】
発明２５に係る携帯式の施錠装置は、発明２０の携帯式の施錠装置において、例えば図６、図７、図１２、図１３、図１５及び図１６を用いて説明すると、
線状体６１dの他端７に設けられて係止形状６eを挿入可能な穴１３eを備え、
錠本体１２eは穴１３eから挿入された係止形状６eを係止可能である、
携帯式の施錠装置である。
【００４２】
発明２６に係る携帯式の施錠装置は、発明１５から発明２５のいずれかの携帯式の施錠装置において、例えば図１、図２、図５、図８、図１１、図１４及び図１７のように、
自転車を構成する棒状部７６を囲うように取り付け可能で、棒体１bを係合可能な係合形状７９を有するブラケット体を新たに備える、
携帯式の施錠装置である。
【００４３】
発明２７に係る携帯式の施錠装置は、発明１５から発明２５のいずれかの携帯式の施錠装置において、例えば図１、図２、図５、図８、図１４及び図１７のように、
自転車を構成する棒状部７６を囲うように取り付け可能で、略Ｕ字状棒体８又は線状体６１を係合可能な係合形状８０（９１）を有するブラケット体を新たに備える、
携帯式の施錠装置である。
【００４４】
発明２８に係る携帯式の施錠装置は、発明２６の携帯式の施錠装置において、例えば図１、図２、図５、図８、図１４及び図１７のように、
前記ブラケット体は、
係合形状７９に棒体１bを係合させてから係止形状６を錠本体１２が係止可能な位置まで移動させることで、略Ｕ字状棒体８又は線状体６１を係合可能な係合形状８０（９１）を有する、
携帯式の施錠装置である。
【発明の効果】
【００４５】
以上のように本発明では、電気ランプが盗難にあう可能性が低く、自転車のハンドル等から工具なしで手軽に取り外し可能で、衝撃等から蓄電池や電気制御伝達経路等を守ることが容易で、筐体を放熱器として有効利用できる可能性が高い、電気ランプでありながら、自転車の駐輪時等は従来のシャックル錠（U字錠）のように信頼性の高い錠として使用可能である。
【００４６】
さらに発明１から発明６によると、蓄電池を取り外し可能にしながら、新たな錠機構を必要とせずに、蓄電池の盗難も防ぐことが可能となる。
【００４７】
さらに発明９及び発明２３によると、新たな錠機構を必要とせずに、鍵を持たない第三者に勝手に電気ランプを点灯されて、蓄電池が浪費されることを防ぐことが可能となる。
【００４８】
さらに発明１４及び発明２８によると、自転車のハンドル等にループ状の施錠箇所が無くても、電気ランプが盗難にあう可能性を低いままにでき、また、電気ランプを毎回決まった角度に強固に固定できるので、電気ランプの光軸がずれる心配がなくなる。また、例えば自転車の錠として使用する場合、走行中の錠の保管場所に困らない。
【発明を実施するための最良の形態】
【００４９】
以下に記載の実施形態において、棒体１の第１嵌合形状及び蓋体２の第２嵌合形状による嵌合は、記載の内容以外にも様々な方法がそれぞれの実施形態において適用できることは当業者には明らかである。
例えば、ボスとスロットによって棒体１及び蓋体２の相対直線運動方向と範囲や相対回転運動方向と範囲を決定するような嵌合、スプライン嵌合、適度な挿入力を伴う嵌合、等が考えられる。
【００５０】
〔第１実施形態〕
図１から図４において、アルミ製の筒１５aを骨格とする棒体１aは、前端部にステンレス製のリング１４aが圧入嵌合されており、外郭がビニールコーティング１６aされている。
また、リング１４aには両持ちの支持部３aが一体に設けられており、ステンレス製の略U字状棒体８aの一端５aが支持部３aの中央に挿入されて、一端５aに開けられた穴にステンレス製のピン４aを通してから、支持部３aにピン４aを圧入嵌合して固定し、略U字状棒体８aはピン４aを中心に揺動可能に支持される。
また、略U字状棒体８aの他端７aには、切欠き状の係止形状６aが設けられ、また、一端５aと他端７a以外の部分はビニールコーティングされている。
【００５１】
また、棒体１aの前端部に穴１０aが開いており、穴１０aの中には外側から順に、ポリカーボネイト製の円形窓２４a、シリコンゴム製のリング２５a、アルミ製の基板２７a、シリコンゴム製のリング２８a、ガラスエポキシ製の基板３０aが嵌合されている。
また、円形窓２４aは穴１０aの中に接着剤で接着されて、穴１０aの中への水の進入を防いでいる。
また、円形窓２４aは発光素子２６aが発する光１００aの配光を制御する為に、凹凸をもったレンズ形状であっても良い。
【００５２】
また、基板２７aの中央には発光ダイオードである発光素子２６aが実装されており、発光素子２６aのカソード端子は基板２７aを通じて筒１５aに電気的に接続されている。
また、発光素子２６aは基板２７aを通じて筒１５aに熱的にも接続されている。
また、筒１５aの内部にはリチウム乾電池である蓄電池１７aが挿入されており、プラス端子は基板３０aの中央に設けられた電極３１aに電気的に接続されており、マイナス端子はステンレス製線材にニッケルメッキを施した円錐状のコイルバネ３３aに電気的に接続されている。
また、基板３０aには発光素子２６aを最適に制御するための電圧昇圧回路や電流制限回路が実装されており、これらの回路を通ってからジャンパー線２９aによって発光素子２６aのアノード端子に接続されている。
【００５３】
また、棒体１aの後端部の、筒１５aの内側の螺合部１８aには、第１嵌合形状である雌ネジが切られており、またアルミ製の筒３２aを骨格とする蓋体２aの前端部の、筒３２aの外側の螺合部１８aには、第２嵌合形状である雄ネジが切られている。これらの雌ネジと雄ネジが螺合されることで、筒１５aと筒３２aは電気的に接続されると共に、他端７aが蓋体２aに設けられた穴１３aに挿入されることで、中心軸線２１aを中心に棒体１aと蓋体２aは相対回転がほぼ不能となり、結果的に第１嵌合形状と第２嵌合形状は分割不能となる。
また、予め雄ネジ部の根元にはめられたシールリング１９aによって、螺合された棒体１aと蓋体２aの端面部９aから棒体１a内部への水の浸入が防がれる。
【００５４】
また、蓋体２aの後端部には錠本体１２aの外筒２２aが圧入嵌合されている。この錠本体１２aは、外筒２２aと内筒２３aからなるシリンダ錠であり、鍵穴に錠本体１２aと一対となる鍵１１aを挿入することで、ピン形状のタンブラによる外筒２２aと内筒２３aの係止が解かれ、中心軸線２１aを中心に相対回転が可能となる。
また、穴１３aに挿入された他端７aの係止形状６aに係合可能な係止片４５aが内筒２３aと一体に成型されており、係止形状６aに係止片４５aが係合されることで、略U字状棒体８aの他端７aは錠本体１２aに係止されることになる。
【００５５】
また、コイルバネ３３aはガラスエポキシ製の基板３４aに実装されており、電極４１aと電気的に接続されている。また、基板３４a上の電極３５aは筒３２aと電気的に接続されている。また、中心軸線２１aを中心に回転するポリエチレン製の回転体４９aは、前端部から順にピン形状４０a、回転電極３６a、フランジ形状４３a、シールリング４４a、保持爪４７aを備え、ピン形状４０aは基板３４aの中心に設けられた穴に隙間嵌合され、回転電極３６aは適度なバネ特性をもって基板３４aに接触しており、回転角度に応じて電極３５aと電極４１aを開閉し、フランジ形状４３aは、回転体４９aを回転可能に支持する支持体３７aに押し当てられて、回転体４９aの中心軸線２１aに沿う移動を制限し、シールリング４４aは支持体３７aと回転体４９aの間に設けられて棒体１aの内部への水の浸入を防ぎ、保持爪４７aは内筒２３aに設けられた穴４６aに係合されるアーム体４８aと回転体４９aが中心軸線２１aを中心に相対回転不能に嵌合されたあとに嵌合を保持するものである。
また、支持体３７aはポリエチレン製で、基板３４aを保持爪４２aで保持し、筒３２aの凸形状３８aを保持爪３９aで保持すると共に、凸形状３８aと支持体３７aの間には接着剤が塗られており、棒体１a内部への水の浸入を防いでいる。
【００５６】
また、錠本体１２aに挿入された鍵１１aは、水平な位置にすることで開錠され、水平な位置から中心軸線２１aを中心に時計回りに９０度回転させることで施錠され、さらに時計回りに３０度回転させると、施錠は維持されたままで、蓄電池１７aと発光素子２６aを結ぶ電気制御伝達経路が閉じられ、穴１０aから光１００aが照射される。また、鍵１１aの消灯位置と点灯位置の間に、クリック感を発生させる為のバネとカムによるような機構が設けられるとなお良い。
【００５７】
〔第２実施形態〕
図６から図８において、アルミ製の棒体１bの前端部付近には両持ちの支持部３bが一体に設けられており、クロムモリブデン鋼製の略U字状棒体８bの一端５bが支持部３bの中央に挿入されて、一端５bに開けられた穴にステンレス製のピン４bを通してから、支持部３bにピン４bを圧入嵌合して固定し、略U字状棒体８bはピン４bを中心に揺動可能に支持される。
また、略U字状棒体８bの他端７bには、切欠き状の係止形状６bが設けられ、また、一端５bと他端７b以外の部分はビニールコーティングされている。
また棒体１bの前端部には第１嵌合形状である穴が設けられている。
また、棒体１bに設けられた穴１３bに他端７bが挿入され、錠本体１２bによって係止形状６bが係止される。
【００５８】
また、アルミ製の蓋体２bに一体に設けられた板部５６bも、略U字状棒体８bの一端５bと同様に、支持部３bに揺動可能に支持されており、この部分で棒体１bと蓋体２bは電気的に接続されている。また蓋体２bに設けられた第２嵌合形状は僅かに後端部が細くなった円柱形のゴム詮５５bであり、ゴム詮５５bの中央部には棒体１bの内部に収納された蓄電池のプラス端子と電気的に接続される電極３１bが設けられている。
また、蓋体２bの内部にはハロゲンバルブである発光素子が設けられており、発光素子の電気端子の一方は電極３１bに、他方は蓋体２bに接続されている。
また、蓋体２bの前端部に設けられた穴１０bから発光素子の光が照射される。
【００５９】
また、第１嵌合形状と第２嵌合形状を嵌合させて蓋体２bを閉じたあとは、蓋体２bに設けられたキャッチ５１bに、棒体１bに圧入嵌合されたピン５４bを中心に揺動可能に設けられたラッチレバー５２b上の穴５３bを中心に揺動可能に設けられたリングバネ５０bをかけてからラッチレバー５２bを倒してラッチさせる、トグルラッチ機構によって蓋体２bは係止される。
また、トグルラッチ機構に新たに錠機構を設けて、蓄電池の盗難を防止しても良い。
また、棒体１bに蓄電池を挿入した後、蓋体２bをネジ止めや接着等によって容易に開閉できないようにしたうえで、蓄電池の充電用の電気端子や、燃料補充の為のノズルを外部に露出させても良い。
また、錠本体１２bや、電気制御伝達経路の開閉に用いる電気スイッチ部分は、第１実施形態と同等である。
【００６０】
〔第３実施形態〕
図９から図１１において、アルミ製の棒体１cの前端部付近には係合形状５８cである穴の設けられた突起５７cが一体に設けられており、ステンレス製の略U字状棒体８cの一端５９cが係合形状５８cである穴に挿入されて係合される。
また、略U字状棒体８cの他端７cには、切り欠き状の係止形状６cが設けられ、また、一端５９cと他端７c以外の部分はビニールコーティングされている。
また、棒体１cの前端部に穴１０cが開いており、ここから発光素子の光が照射される。
また、蓋体２cに設けられた穴１３cに他端７cが挿入され、錠本体１２cによって係止形状６cが係止される。このとき他端７cを穴１３cに挿入する方向と、一端５９cを係合形状５８cである穴に挿入する方向は、ほぼ同じである。
また、第１嵌合形状と第２嵌合形状、錠本体１２c、電気制御伝達経路の開閉に用いる電気スイッチ部分は、第１実施形態と同等である。
【００６１】
〔第４実施形態〕
図１２から図１４において、ステンレス製の棒体１dの前端部付近にはステンレス製複よりワイヤーである、屈曲可能な線状体６１dの一端６０dが圧着によって強固に接続されている。
ここで、屈曲可能な線状体６１dはチェーン状のものや、数箇所のみ折り曲げ可能な棒体等であっても良い。
また、線状体６１dの他端７dには、全周を切り欠かれた係止形状６dをもつ、ステンレス製の円柱部材が強固に圧着されている。また、線状体６１dの他端７d以外の部分はビニールコーティングされている。
また、棒体１dの前端部に穴１０dが開いており、ここから発光素子の光が照射される。
また、ステンレス製の蓋体２dに設けられた穴１３dに他端７dが挿入され、錠本体１２dによって係止形状６dが係止される。
また、第１嵌合形状と第２嵌合形状、錠本体１２d、電気制御伝達経路の開閉に用いる電気スイッチ部分は、第１実施形態と同等である。
【００６２】
〔第５実施形態〕
図１５から図１７において、アルミ製の棒体１eの前端部付近には両持ちの支持部３eが一体に設けられており、アルミ製の略U字状棒体８eの一端５eが支持部３eの中央に挿入されて、一端５eに開けられた穴にステンレス製のピン４eを通してから、支持部３eにピン４eを圧入嵌合して固定し、略U字状棒体８eはピン４eを中心に揺動可能に支持される。
また、略U字状棒体８eの他端７eには錠本体１２eが設けられる。
また、棒体１eの前端部に穴１０eが開いており、ここから発光素子の光が照射される。
また、アルミ製の蓋体２eに圧入嵌合されたステンレス製の円柱部材６２eには切り欠き状の係止形状６eが設けられており、他端７eに設けられた穴１３eに円柱部材６２eが挿入され、錠本体１２eによって係止形状６eが係止される。
また、電気制御伝達経路の開閉に用いる電気スイッチは、蓋体２eの後端部に設置され、防水用のシリコンゴム製のキャップ６３eを介して押されるプッシュスイッチであり、押す毎に電気制御伝達経路の開閉が切り替わる。
また、第１嵌合形状と第２嵌合形状、錠本体１２eは、第１実施形態と同様である。
【００６３】
〔ブラケット体の実施形態〕
図１、図２、図５、図８、図１１、図１４及び図１７に様々なブラケット体の実施形態を記載した。以下に記載する様々なブラケット体の実施形態は、以上に記載の第１実施形態から第５実施形態のいずれに対しても適用可能である。
【００６４】
〔ブラケット体の第１実施形態〕
図１、図２、図５及び図８において、ブラケット体は上下に分割可能で、上側７０p、下側７２p共にポリアセタール製で、上側７０pの前部にはネジ７１pが穴７８pに頭８３pを隠されるように貫通穴８２pを貫通して、後部にはネジ８７pが穴８５pに頭８６pを隠されるように貫通穴８８pを貫通して、それぞれ接続されている。また、下部７２pの前部には埋め込み式のナット８４pが貫通穴８１pの中に、後部には埋め込み式のナット８９pが貫通穴９０pの中に、それぞれ埋め込まれている。
また、自転車のハンドルのパイプである棒状部７６に巻かれた樹脂製のスペーサー７４pを挟み込むように、上下から上側７０pと下側７２pが設置され、ネジ７１pとナット８４p、ネジ８７pとナット８９pがそれぞれ螺合することでブラケット体はハンドル上に固定される。また、棒状部７６の外径に合わせてスペーサー７４pの厚みを変えたり、挿入しなかったりすることで、様々なパイプ径に対応することが可能となる。
また、スペーサー７４pを偏心形状にしたり、ブラケット体とのアタリ面を球面状にしてボールピボットのようにしたりして、棒状部７６に対するブラケット体の取り付け方向を様々に調整できるようにしても良い。
また、固定されたブラケット体の上側７０pと下側７２pの間の前部には隙間７３pが開いているが、後部の隙間７５pはほぼゼロであり、ブラケット体を棒状部７６に組み付けた状態でのブラケット体のサイズが安定するが、スペーサー７４pの調整が難しい場合は、隙間７５pを広げても良い。
また、上側７０pの棒体１と当たる部分には、棒体１に係合するように凹形の係合形状７９pが、下側７２pの略U字状棒体８の当たる部分には、略U字状棒体８に係合するように凹形の係合形状８０p及び係合形状９１pが設けられている。これらの係合形状７９p、係合形状８０p及び係合形状９１pに、棒体１及び略U字状棒体８を係合させてから、係止形状６を錠本体１２で係止することで、携帯型の施錠装置はブラケット体に施錠されると共に、穴７８p及び穴８５pが棒体１又は蓋体２に蓋をされて、ネジ７１p及びネジ８７pを緩められる心配が無くなるので、ブラケット体もハンドルに施錠されることになる。
また、係合形状８０pにはゴムシート等の弾性体が設けられたり、上側７０pと一体にバネ形状が成型されたりして、携帯型の施錠装置のガタツキを抑えるようにしてもよい。
また、ブラケット体を棒状部７６に組み付ける際に、ネジを使用したが、ネジの替わりに偏心カムとカム操作レバーを有する締め付け機構を利用しても良い。
また、図８は、ブラケット体を上下逆に棒状部７６に組み付けた例である。
【００６５】
〔ブラケット体の第２実施形態〕
図１１において、ブラケット体は上下に分割不能で、上側７０qはポリアセタール製で、上側７０qの後部にはネジ７１qが穴に頭を隠されるように貫通穴を貫通して接続されている。
また、上側７０qの前部から棒状部７６を巻き込むようにして後部付近まで伸ばされた帯状部９３qは上側７０qに一体成型されており、帯状部９３qの先端付近には埋め込み式のナットが貫通穴の中に埋め込まれている。
また、自転車のハンドルのパイプである棒状部７６に巻かれたゴム製のスペーサー７４qを巻き込むように上側７０qと帯状部９３qが設置され、ネジ７１qとナットが螺合することでブラケット体はハンドル上に固定される。また、棒状部７６の外径に合わせてスペーサー７４qの厚みを変えたり、挿入しなかったりすることで、様々なパイプ径に対応することが可能となる。
また、スペーサー７４qを偏心形状にしたり、ブラケット体とのアタリ面を球面状にしてボールピボットのようにしたりして、棒状部７６に対するブラケット体の取り付け方向を様々に調整できるようにしても良い。
また、上側７０qの棒体１及び蓋体２と当たる部分には、棒体１及び蓋体２に係合するように筒形の係合形状７９qが設けられている。この係合形状７９qに、棒体１及び蓋体２を挿入、係合させてから、係止形状６を錠本体１２で係止することで、携帯式の施錠装置はブラケット体に施錠されると共に、ネジ７１qの頭が隠された穴が棒体１又は蓋体２に蓋をされて、ネジ７１qを緩められる心配が無くなるので、ブラケット体もハンドルに施錠されることになる。
また、ブラケット体を棒状部７６に組み付ける際に、ネジを使用したが、ネジの替わりに偏心カムとカム操作レバーを有する締め付け機構を利用しても良い。
また、係合形状７９qに割を入れて、筒形の部分の断面形状が略Ｃ字状になるようにしても良い。
【００６６】
〔ブラケット体の第３実施形態〕
ブラケット体の第３実施形態は、ブラケット体の第１実施形態において、図１４のように、係合形状８０p及び係合形状９１pは係合形状８０rに統合されており、ブラケット体に携帯型の施錠装置を施錠した際に、線状体６１が係合形状８０rから脱線しないように、滑らかに沿うように、係合形状８０rは成型されている。
【００６７】
〔ブラケット体の第４実施形態〕
ブラケット体の第４実施形態は、ブラケット体の第１実施形態において、図１７のように、上側７０p及び下側７２pは上側７０sに統合されており、元々下側７２pであった部分には、全体として弾力性を有するように肉抜き形状９２sが設けられており、ブラケット体に携帯型の施錠装置を施錠した際にガタツキが発生するのを防ぐ。
【図面の簡単な説明】
【００６８】
【図１】第１実施形態の開錠状態を表す図
【図２】ブラケット体の第１実施形態を棒状部７６に組み付け、第１実施形態の携帯型の施錠装置をブラケット体に施錠し、発光素子２６を点灯させた状態を表す図
【図３】第１実施形態の施錠状態を表す破断面図
【図４】図３の蓋体２a付近を拡大表示した図
【図５】ブラケット体の第１実施形態の破断面図
【図６】第２実施形態の開錠状態を表す図
【図７】第２実施形態の施錠状態を表す図
【図８】ブラケット体の第１実施形態を上下逆に棒状部７６に組み付け、第２実施形態の携帯型の施錠装置をブラケット体に施錠した状態を表す図
【図９】第３実施形態の開錠状態を表す図
【図１０】第３実施形態の施錠状態を表す図
【図１１】ブラケット体の第２実施形態を棒状部７６に組み付け、第３実施形態の携帯型の施錠装置をブラケット体に施錠した状態を表す図
【図１２】第４実施形態の開錠状態を表す図
【図１３】第４実施形態の施錠状態を表す図
【図１４】ブラケット体の第３実施形態を棒状部７６に組み付け、第４実施形態の携帯型の施錠装置をブラケット体に施錠した状態を表す図
【図１５】第５実施形態の開錠状態を表す図
【図１６】第５実施形態の施錠状態を表す図
【図１７】ブラケット体の第４実施形態を棒状部７６に組み付け、第５実施形態の携帯型の施錠装置をブラケット体に施錠した状態を表す図
【符号の説明】
【００６９】
１                                                     棒体
２                                                     蓋体
３                                                     支持部
４,５４                                            ピン
５,５９  ,６０                                       一端
６                                                     係止形状
７                                                     他端
８                                                     略U字状棒体
９                                                     端面部
１０,１３,４６,５３,７８,８５              穴
１１                                                 鍵
１２                                                 錠本体
１４,２５,２８                                   リング
１５,３２                                          筒
１６,２０                                          ビニールコーティング
１７                                                 蓄電池
１８                                                 螺合部
１９,４４                                          シールリング
２１                                                 中心軸線
２２                                                 外筒
２３                                                 内筒
２４                                                 円形窓
２６                                                 発光素子
２７,３０,３４                                   基板
２９                                                 ジャンパー線
３１,３５,４１                                   電極
３３                                                 コイルバネ
３６                                                 回転電極
３７                                                 支持体
３８                                                 凸形状
３９,４２,４７                                   保持爪
４０                                                 ピン形状
４３                                                 フランジ形状
４５                                                 係止片
４８                                                 アーム体
４９                                                 回転体
５０                                                 リングバネ
５１                                                 キャッチ
５２                                                 ラッチレバー
５５                                                 ゴム詮
５６                                                 板部
５７                                                 突起
５８,７９,８０,９１                            係合形状
６１                                                 線状体
６２                                                 円柱部材
６３                                                 キャップ
７０                                                 上側
７１,８７                                          ネジ
７２                                                 下側
７３,７５,７７                                   隙間
７４                                                 スペーサー
７６                                                 棒状部
８１,８２,８８,９０                            貫通穴
８３,８６                                          頭
８４,８９                                          ナット
９２                                                 肉抜き形状
９３                                                 帯状部
１００                                             光
【図１】
2007309081.tif 000003
【図２】
2007309081.tif 000004
【図３】
2007309081.tif 000005
【図４】
2007309081.tif 000006
【図５】
2007309081.tif 000007
【図６】
2007309081.tif 000008
【図７】
2007309081.tif 000009
【図８】
2007309081.tif 000010
【図９】
2007309081.tif 000011
【図１０】
2007309081.tif 000012
【図１１】
2007309081.tif 000013
【図１２】
2007309081.tif 000014
【図１３】
2007309081.tif 000015
【図１４】
2007309081.tif 000016
【図１５】
2007309081.tif 000017
【図１６】
2007309081.tif 000018
【図１７】
2007309081.tif 000019
【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
一端に第１嵌合形状及び内部への入口を備える、屈曲不能な棒体と、
前記第１嵌合形状に嵌合可能な第２嵌合形状を一端に備え、前記嵌合によって前記入口に蓋をする、屈曲不能な蓋体と、
前記棒体及び前記蓋体の一方、に一端が揺動可能に支持される、屈曲不能な略U字状棒体と、
前記略U字状棒体の他端に設けられる係止形状と、
前記棒体及び前記蓋体の他方、に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備え、
前記嵌合された状態で、前記錠本体が前記係止形状を係止している際は、前記嵌合が外れる方向に前記棒体と前記蓋体が相対移動して前記入口に蓋をしている前記蓋体が外れるのを前記略Ｕ字状棒体が妨げる、
携帯式の施錠装置。
【請求項２】
一端に第１嵌合形状及び内部への入口を備える、屈曲不能な棒体と、
前記第１嵌合形状に嵌合可能な第２嵌合形状を一端に備え、前記嵌合によって前記入口に蓋をする、屈曲不能な蓋体と、
前記棒体及び前記蓋体の一方、に一端が揺動可能に支持される、屈曲不能な略U字状棒体と、
前記棒体及び前記蓋体の他方、に設けられる係止形状と、
前記略U字状棒体の他端に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備え、
前記嵌合された状態で、前記錠本体が前記係止形状を係止している際は、前記嵌合が外れる方向に前記棒体と前記蓋体が相対移動して前記入口に蓋をしている前記蓋体が外れるのを前記略Ｕ字状棒体が妨げる、
携帯式の施錠装置。
【請求項３】
一端に第１嵌合形状及び内部への入口を備える、屈曲不能な棒体と、
前記第１嵌合形状に嵌合可能な第２嵌合形状を一端に備え、前記嵌合によって前記入口に蓋をする、屈曲不能な蓋体と、
前記棒体及び前記蓋体の一方、に設けられた第１係合形状に一端が係合可能で、屈曲不能な略U字状棒体と、
前記略U字状棒体の他端に設けられる係止形状と、
前記棒体及び前記蓋体の他方、に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備え、
前記嵌合された状態で、前記第１係合形状に略Ｕ字状棒体の一端が係合され、前記錠本体が前記係止形状を係止している際は、前記嵌合が外れる方向に前記棒体と前記蓋体が相対移動して前記入口に蓋をしている前記蓋体が外れるのを前記略Ｕ字状棒体が妨げる、
携帯式の施錠装置。
【請求項４】
一端に第１嵌合形状及び内部への入口を備える、屈曲不能な棒体と、
前記第１嵌合形状に嵌合可能な第２嵌合形状を一端に備え、前記嵌合によって前記入口に蓋をする、屈曲不能な蓋体と、
前記棒体及び前記蓋体の一方、に設けられた第１係合形状に一端が係合可能で、屈曲不能な略U字状棒体と、
前記棒体及び前記蓋体の他方、に設けられる係止形状と、
前記略U字状棒体の他端に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備え、
前記嵌合された状態で、前記第１係合形状に略Ｕ字状棒体の一端が係合され、前記錠本体が前記係止形状を係止している際は、前記嵌合が外れる方向に前記棒体と前記蓋体が相対移動して前記入口に蓋をしている前記蓋体が外れるのを前記略Ｕ字状棒体が妨げる、
携帯式の施錠装置。
【請求項５】
一端に第１嵌合形状及び内部への入口を備える、屈曲不能な棒体と、
前記第１嵌合形状に嵌合可能な第２嵌合形状を一端に備え、前記嵌合によって前記入口に蓋をする、屈曲不能な蓋体と、
前記棒体及び前記蓋体の一方、に一端が接続される、屈曲可能な線状体と、
前記線状体の他端に設けられる係止形状と、
前記棒体及び前記蓋体の他方、に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備え、
前記嵌合された状態で、前記錠本体が前記係止形状を係止している際は、前記嵌合が外れる方向に前記棒体と前記蓋体が相対移動して前記入口に蓋をしている前記蓋体が外れるのを前記線状体が妨げる、
携帯式の施錠装置。
【請求項６】
一端に第１嵌合形状及び内部への入口を備える、屈曲不能な棒体と、
前記第１嵌合形状に嵌合可能な第２嵌合形状を一端に備え、前記嵌合によって前記入口に蓋をする、屈曲不能な蓋体と、
前記棒体及び前記蓋体の一方、に一端が接続される、屈曲可能な線状体と、
前記棒体及び前記蓋体の他方、に設けられる係止形状と、
前記線状体の他端に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備え、
前記嵌合された状態で、前記錠本体が前記係止形状を係止している際は、前記嵌合が外れる方向に前記棒体と前記蓋体が相対移動して前記入口に蓋をしている前記蓋体が外れるのを前記線状体が妨げる、
携帯式の施錠装置。
【請求項７】
前記棒体及び前記蓋体の他方、に設けられて前記係止形状を挿入可能な穴を備え、
前記錠本体は前記穴から挿入された前記係止形状を係止可能である、
請求項１、請求項３及び請求項５のいずれかに記載の携帯式の施錠装置。
【請求項８】
前記発光素子は、
前記棒体及び前記蓋体の一方、の他端に備えられる、
請求項７に記載の携帯式の施錠装置。
【請求項９】
前記電気制御伝達経路は、
前記錠本体と一対となる鍵によって開閉される、
請求項８に記載の携帯式の施錠装置。
【請求項１０】
前記略U字状棒体の他端に設けられて前記係止形状を挿入可能な穴を備え、
前記錠本体は前記穴から挿入された前記係止形状を係止可能である、
請求項２及び請求項４のいずれかに記載の携帯式の施錠装置。
【請求項１１】
前記線状体の他端に設けられて前記係止形状を挿入可能な穴を備え、
前記錠本体は前記穴から挿入された前記係止形状を係止可能である、
請求項６に記載の携帯式の施錠装置。
【請求項１２】
自転車を構成する棒状部を囲うように取り付け可能で、前記棒体及び前記蓋体の少なくとも一方を係合可能な第２係合形状を有するブラケット体を新たに備える、
請求項１から請求項１１のいずれかに記載の携帯式の施錠装置。
【請求項１３】
自転車を構成する棒状部を囲うように取り付け可能で、前記略Ｕ字状棒体又は前記線状体を係合可能な第３係合形状を有するブラケット体を新たに備える、
請求項１から請求項１１のいずれかに記載の携帯式の施錠装置。
【請求項１４】
前記ブラケット体は、
前記第２係合形状に前記棒体及び前記蓋体の少なくとも一方を係合させてから前記係止形状を前記錠本体が係止可能な位置まで移動させることで、前記略Ｕ字状棒体又は前記線状体を係合可能な第３係合形状を有する、
請求項１２に記載の携帯式の施錠装置。
【請求項１５】
一端に第１嵌合形状及び内部への入口を備える、屈曲不能な棒体と、
前記第１嵌合形状に嵌合可能な第２嵌合形状を一端に備え、前記嵌合によって前記入口に蓋をする蓋体と、
前記棒体に一端が揺動可能に支持される、屈曲不能な略U字状棒体と、
前記略U字状棒体の他端に設けられる係止形状と、
前記棒体に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備える、
携帯式の施錠装置。
【請求項１６】
一端に第１嵌合形状及び内部への入口を備える、屈曲不能な棒体と、
前記第１嵌合形状に嵌合可能な第２嵌合形状を一端に備え、前記嵌合によって前記入口に蓋をする蓋体と、
前記棒体に一端が揺動可能に支持される、屈曲不能な略U字状棒体と、
前記棒体に設けられる係止形状と、
前記略U字状棒体の他端に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備える、
携帯式の施錠装置。
【請求項１７】
一端に第１嵌合形状及び内部への入口を備える、屈曲不能な棒体と、
前記第１嵌合形状に嵌合可能な第２嵌合形状を一端に備え、前記嵌合によって前記入口に蓋をする蓋体と、
前記棒体に設けられた第１係合形状に一端が係合可能で、屈曲不能な略U字状棒体と、
前記略U字状棒体の他端に設けられる係止形状と、
前記棒体に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備える、
携帯式の施錠装置。
【請求項１８】
一端に第１嵌合形状及び内部への入口を備える、屈曲不能な棒体と、
前記第１嵌合形状に嵌合可能な第２嵌合形状を一端に備え、前記嵌合によって前記入口に蓋をする蓋体と、
前記棒体に設けられた第１係合形状に一端が係合可能で、屈曲不能な略U字状棒体と、
前記棒体に設けられる係止形状と、
前記略U字状棒体の他端に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備える、
携帯式の施錠装置。
【請求項１９】
一端に第１嵌合形状及び内部への入口を備える、屈曲不能な棒体と、
前記第１嵌合形状に嵌合可能な第２嵌合形状を一端に備え、前記嵌合によって前記入口に蓋をする蓋体と、
前記棒体に一端が接続される、屈曲可能な線状体と、
前記線状体の他端に設けられる係止形状と、
前記棒体に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備える、
携帯式の施錠装置。
【請求項２０】
一端に第１嵌合形状及び内部への入口を備える、屈曲不能な棒体と、
前記第１嵌合形状に嵌合可能な第２嵌合形状を一端に備え、前記嵌合によって前記入口に蓋をする蓋体と、
前記棒体に一端が接続される、屈曲可能な線状体と、
前記棒体に設けられる係止形状と、
前記線状体の他端に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備える、
携帯式の施錠装置。
【請求項２１】
前記棒体に設けられて前記係止形状を挿入可能な穴を備え、
前記錠本体は前記穴から挿入された前記係止形状を係止可能である、
請求項１５、請求項１７及び請求項１９のいずれかに記載の携帯式の施錠装置。
【請求項２２】
前記発光素子は、
前記棒体及び前記蓋体の一方、の他端に備えられる、
請求項２１に記載の携帯式の施錠装置。
【請求項２３】
前記電気制御伝達経路は、
前記錠本体と一対となる鍵によって開閉される、
請求項２２に記載の携帯式の施錠装置。
【請求項２４】
前記略U字状棒体の他端に設けられて前記係止形状を挿入可能な穴を備え、
前記錠本体は前記穴から挿入された前記係止形状を係止可能である、
請求項１６及び請求項１８のいずれかに記載の携帯式の施錠装置。
【請求項２５】
前記線状体の他端に設けられて前記係止形状を挿入可能な穴を備え、
前記錠本体は前記穴から挿入された前記係止形状を係止可能である、
請求項２０に記載の携帯式の施錠装置。
【請求項２６】
自転車を構成する棒状部を囲うように取り付け可能で、前記棒体を係合可能な第２係合形状を有するブラケット体を新たに備える、
請求項１５から請求項２５のいずれかに記載の携帯式の施錠装置。
【請求項２７】
自転車を構成する棒状部を囲うように取り付け可能で、前記略Ｕ字状棒体又は前記線状体を係合可能な第３係合形状を有するブラケット体を新たに備える、
請求項１５から請求項２５のいずれかに記載の携帯式の施錠装置。
【請求項２８】
前記ブラケット体は、
前記第２係合形状に前記棒体を係合させてから前記係止形状を前記錠本体が係止可能な位置まで移動させることで、前記略Ｕ字状棒体又は前記線状体を係合可能な第３係合形状を有する、
請求項２６に記載の携帯式の施錠装置。
【手続補正２】
【補正対象書類名】明細書
【補正対象項目名】全文
【補正方法】変更
【補正の内容】
【発明の詳細な説明】
【技術分野】
【０００１】
本発明は、携帯式の施錠装置に関する。
【背景技術】
【０００２】
携帯式の施錠装置においては、特許文献１及び特許文献２のように被施錠物に略Ｕ字状棒を通してから略Ｕ字状棒に略Ｉ字状棒を係止することで施錠するものや、特許文献３のように被施錠物にワイヤーを通してからワイヤーがループ状になるように係止することで施錠するものがよく知られている。
【０００３】
【特許文献１】特開２００２−３０９８２９号公報
【特許文献２】実開平０４−１１１８７８号公報
【特許文献３】特開２００２−３７１７３８号公報
【０００４】
携帯式の電気ランプにおいては、手で握って対象物を照らす懐中電灯や、バンドによって頭に装着して両手を自由にし、夜釣り等を行うものや、専用のブラケットによって自転車のハンドル等に装着し、前方の路面を照らすものなどがある。
【０００５】
また、携帯式の電気ランプの中でも自転車用の電気ランプは、スポーツタイプの自転車のように自転車用発電機の回転抵抗、重量、取り付けの手間が敬遠される場合や、電気ランプの盗難に備えて手軽に電気ランプを付け外ししたい場合に使用されることが多い。（特許文献４参照）
【０００６】
【特許文献４】特開２００１−２３３２６４号公報
【０００７】
いずれの電気ランプにおいても、小型、軽量で、十分明るくても電池の持続時間が長いものが好まれている。これらの要素を実現するために、真空バルブが主流だった発光素子において、近年は高性能なハロゲンバルブや照明用発光ダイオードが採用され、将来的には照明用有機ELも注目されており、また、マンガン乾電池やニッケルカドミウム充電池が主流だった電池においても、近年はリチウム乾電池やリチウムイオン充電池が採用され、将来的には燃料電池も注目されている。
【０００８】
また、特許文献５のように、自転車のフレームのフォーク部に設けられた係止形状に係止されることで車輪の回転を妨げるように施錠される略Ｉ字状棒に、電気ランプの機能をもたせたものが知られている。
【０００９】
【特許文献５】特開平１１−５９５２５号公報
【発明の開示】
【発明が解決しようとする課題】
【００１０】
近年及び将来的に高性能された電気式の発光素子によって電池の持続時間は飛躍的に伸びて、電池の交換頻度や充電頻度は減少すると考えられるが、それでも交換や充電を不要にすることは困難であり、自転車のハンドル等の電気ランプ設置場所から工具なしで手軽に取り外し出来ることが望まれるが、これが仇となって駐輪時等に高性能電気ランプや電池が盗難にあう可能性が高くなってしまう。
【００１１】
これは、携帯式の施錠装置は二番手の施錠装置として用いられることが多く、短時間の買い物などでは携帯式の施錠装置は自転車の前カゴ等に入れっぱなしで施錠しないか、予め自転車のフレームに設置された馬蹄形錠のような施錠・開錠がとても速やかに完了できる一番手の施錠装置を使用することが多い為である。
【００１２】
また、自転車のフレームに予め設置されない、盗難防止を意識した二番手の施錠装置は、使用しないときの携帯性に難があるものが多く、例えばスポーツタイプの自転車のようにカゴの無い自転車では、ハンドルに引っ掛けて頑丈そうな施錠装置をふらふらさせながら走行しているのをよく見かける。
このような携帯方法はハンドル操作の妨げとなるし、フレームがアルミやカーボンで薄肉化され、美しい塗装が施されたスポーツタイプの自転車では、固定されずにふらふらと動く施錠装置がフレームを損傷することが非常に心苦しいし、自転車のフレームに予め設置される馬蹄形錠や特許文献５のような施錠装置は元々採用が困難である。
だからといって、施錠装置を使用しないときに施錠装置を折りたたんだり、収納したり、自転車等に固定する手間がかかれば、いざ使用しようとするときにも手間がかかり、ついつい施錠がおろそかになることも考えられる。
【００１３】
また、高性能化された電池は過充電、過放電、出力短絡等の保護回路を内蔵しているものが多く、また、高性能化された発光素子は制御回路を必要とするものが多く、衝撃や水の進入等に細心の注意を払う必要が生じてしまう。
【００１４】
また、小型化された電池や発光素子は、単独では十分な放熱性能を持ち合わせていないものが多く、熱をよく伝える金属性の筐体が有利となってくる。
【００１５】
そこで、電池や発光素子を熱や衝撃等から守る為だけに、頑丈な筐体を採用してしまうと、結局電気ランプが重くて大きいものに逆戻りしてしまい、電池や発光素子の進化によるメリットを享受できなくなってしまう。
【課題を解決するための手段】
【００１６】
本発明の実施形態図等を用いて以下に説明するが、これは本発明の内容をより把握しやすいようにする為で、添付の特許請求の範囲を縮小するものではない。
また、各図に記載の符号は数字のみ、あるいは数字とアルファベットの小文字で構成されているが、数字が同一であるということは、互いに対応している部分であることを表す。よって、数字のみの符号は、数字が同一であり数字とアルファベットの小文字で構成される符号を含む。
【００１７】
発明１に係る携帯式の施錠装置は、例えば図１から図４のように、
一端に第１嵌合形状及び内部への入口を備える、屈曲不能な棒体１と、
前記第１嵌合形状に嵌合可能な第２嵌合形状を一端に備え、前記嵌合によって前記入口に蓋をする、屈曲不能な蓋体２と、
棒体１及び蓋体２の一方、に一端５が揺動可能に支持される、屈曲不能な略U字状棒体８と、
略U字状棒体８の他端７に設けられる係止形状６と、
棒体１及び蓋体２の他方、に設けられて係止形状６を係止可能な錠本体１２と、
棒体１の他端及び蓋体２の他端のどちらかに備えられる発光素子２６と、
前記入口から棒体１の内部に抜き差し可能である電池１７と、
電池１７から発光素子２６に電気を伝える電気制御伝達経路と、
を備え、
前記嵌合された状態で、錠本体１２が係止形状６を係止している際は、前記嵌合が外れる方向に棒体１と蓋体２が相対移動して前記入口に蓋をしている蓋体２が外れるのを略Ｕ字状棒体８が妨げる、
携帯式の施錠装置である。
【００１８】
発明２に係る携帯式の施錠装置は、例えば図１５及び図１６のように、
一端に第１嵌合形状及び内部への入口を備える、屈曲不能な棒体１と、
前記第１嵌合形状に嵌合可能な第２嵌合形状を一端に備え、前記嵌合によって前記入口に蓋をする、屈曲不能な蓋体２と、
棒体１及び蓋体２の一方、に一端５が揺動可能に支持される、屈曲不能な略U字状棒体８と、
棒体１及び蓋体２の他方、に設けられる係止形状６と、
略U字状棒体８の他端７に設けられて係止形状６を係止可能な錠本体１２と、
棒体１の他端及び蓋体２の他端のどちらかに備えられる発光素子と、
前記入口から棒体１の内部に抜き差し可能である電池と、
前記電池から前記発光素子に電気を伝える電気制御伝達経路と、
を備え、
前記嵌合された状態で、錠本体１２が係止形状６を係止している際は、前記嵌合が外れる方向に棒体１と蓋体２が相対移動して前記入口に蓋をしている蓋体２が外れるのを略Ｕ字状棒体８が妨げる、
携帯式の施錠装置である。
【００１９】
発明３に係る携帯式の施錠装置は、例えば図９及び図１０のように、
一端に第１嵌合形状及び内部への入口を備える、屈曲不能な棒体１と、
前記第１嵌合形状に嵌合可能な第２嵌合形状を一端に備え、前記嵌合によって前記入口に蓋をする、屈曲不能な蓋体２と、
棒体１及び蓋体２の一方、に設けられた係合形状５８に一端５９が係合可能で、屈曲不能な略U字状棒体８と、
略U字状棒体８の他端に設けられる係止形状６と、
棒体１及び蓋体２の他方、に設けられて係止形状６を係止可能な錠本体１２と、
棒体１の他端及び蓋体２の他端のどちらかに備えられる発光素子と、
前記入口から棒体１の内部に抜き差し可能である電池と、
前記電池から前記発光素子に電気を伝える電気制御伝達経路と、
を備え、
前記嵌合された状態で、係合形状５８に略Ｕ字状棒体８の一端５９が係合され、錠本体１２が係止形状６を係止している際は、前記嵌合が外れる方向に棒体１と蓋体２が相対移動して前記入口に蓋をしている蓋体２が外れるのを略Ｕ字状棒体８が妨げる、
携帯式の施錠装置である。
【００２０】
発明４に係る携帯式の電気ランプは、例えば図９、図１０、図１５及び図１６を用いて説明すると、
一端に第１嵌合形状及び内部への入口を備える、屈曲不能な棒体１と、
前記第１嵌合形状に嵌合可能な第２嵌合形状を一端に備え、前記嵌合によって前記入口に蓋をする、屈曲不能な蓋体２と、
棒体１及び蓋体２の一方、に設けられた係合形状５８cに一端５９cが係合可能で、屈曲不能な略U字状棒体８と、
棒体１及び蓋体２の他方、に設けられる係止形状６eと、
略U字状棒体８の他端７eに設けられて係止形状６eを係止可能な錠本体１２eと、
棒体１の他端及び蓋体２の他端のどちらかに備えられる発光素子と、
前記入口から棒体１の内部に抜き差し可能である電池と、
前記電池から前記発光素子に電気を伝える電気制御伝達経路と、
を備え、
前記嵌合された状態で、係合形状５８cに略Ｕ字状棒体８の一端５９cが係合され、錠本体１２eが係止形状６eを係止している際は、前記嵌合が外れる方向に棒体１と蓋体２が相対移動して前記入口に蓋をしている蓋体２が外れるのを略Ｕ字状棒体８が妨げる、
携帯式の施錠装置である。
【００２１】
発明５に係る携帯式の施錠装置は、例えば図１２及び図１３のように、
一端に第１嵌合形状及び内部への入口を備える、屈曲不能な棒体１と、
前記第１嵌合形状に嵌合可能な第２嵌合形状を一端に備え、前記嵌合によって前記入口に蓋をする、屈曲不能な蓋体２と、
棒体１及び蓋体２の一方、に一端６０が接続される、屈曲可能な線状体６１と、
線状体６１の他端７に設けられる係止形状６と、
棒体１及び蓋体２の他方、に設けられて係止形状６を係止可能な錠本体１２と、
棒体１の他端及び蓋体２の他端のどちらかに備えられる発光素子と、
前記入口から前記棒体の内部に抜き差し可能である電池と、
前記電池から前記発光素子に電気を伝える電気制御伝達経路と、
を備え、
前記嵌合された状態で、錠本体１２が係止形状６を係止している際は、前記嵌合が外れる方向に棒体１と蓋体２が相対移動して前記入口に蓋をしている蓋体２が外れるのを線状体６１が妨げる、
携帯式の施錠装置。
【００２２】
発明６に係る携帯式の電気ランプは、例えば図１２、図１３、図１５及び図１６を用いて説明すると、
一端に第１嵌合形状及び内部への入口を備える、屈曲不能な棒体１と、
前記第１嵌合形状に嵌合可能な第２嵌合形状を一端に備え、前記嵌合によって前記入口に蓋をする、屈曲不能な蓋体２と、
棒体１及び蓋体２の一方、に一端６０dが接続される、屈曲可能な線状体６１dと、
棒体１及び蓋体２の他方、に設けられる係止形状６eと、
線状体６１dの他端７に設けられて係止形状６eを係止可能な錠本体１２eと、
棒体１の他端及び蓋体２の他端のどちらかに備えられる発光素子と、
前記入口から前記棒体の内部に抜き差し可能である電池と、
前記電池から前記発光素子に電気を伝える電気制御伝達経路と、
を備え、
前記嵌合された状態で、錠本体１２eが係止形状６eを係止している際は、前記嵌合が外れる方向に棒体１と蓋体２が相対移動して前記入口に蓋をしている蓋体２が外れるのを線状体６１が妨げる、
携帯式の施錠装置。
【００２３】
発明７に係る携帯式の施錠装置は、発明１、発明３及び発明５のいずれかの携帯式の施錠装置において、例えば図１から図１４のように、
棒体１及び蓋体２の他方、に設けられて係止形状６を挿入可能な穴１３を備え、
錠本体１２は穴１３から挿入された係止形状６を係止可能である、
携帯式の施錠装置である。
【００２４】
発明８に係る携帯式の施錠装置は、発明７の携帯式の施錠装置において、例えば図３のように、
発光素子２６は、
棒体１及び蓋体２の一方、の他端に備えられる、
携帯式の施錠装置である。
【００２５】
発明９に係る携帯式の施錠装置は、発明８の携帯式の施錠装置において、例えば図２から図４のように、
前記電気制御伝達経路は、
錠本体１２と一対となる鍵１１によって開閉される、
携帯式の施錠装置である。
【００２６】
発明１０に係る携帯式の施錠装置は、発明２及び発明４の携帯式の施錠装置において、例えば図１５及び図１６のように、
略U字状棒体８の他端７に設けられて係止形状６を挿入可能な穴１３を備え、
錠本体１２は穴１３から挿入された係止形状６を係止可能である、
携帯式の施錠装置である。
【００２７】
発明１１に係る携帯式の施錠装置は、発明６の携帯式の施錠装置において、例えば図１２、図１３、図１５及び図１６を用いて説明すると、
線状体６１dの他端７に設けられて係止形状６eを挿入可能な穴１３eを備え、
錠本体１２eは穴１３eから挿入された係止形状６eを係止可能である、
携帯式の施錠装置である。
【００２８】
発明１２に係る携帯式の施錠装置は、発明１から発明１１のいずれかの携帯式の施錠装置において、例えば図１、図２、図５、図１１、図１４及び図１７のように、
自転車を構成する棒状部７６を囲うように取り付け可能で、棒体１及び蓋体２の少なくとも一方を係合可能な係合形状７９を有するブラケット体を新たに備える、
携帯式の施錠装置である。
【００２９】
発明１３に係る携帯式の施錠装置は、発明１から発明１１のいずれかの携帯式の施錠装置において、例えば図１、図２、図５、図１４及び図１７のように、
自転車を構成する棒状部７６を囲うように取り付け可能で、略Ｕ字状棒体８又は前記線状体６１を係合可能な係合形状８０（９１）を有するブラケット体を新たに備える、
携帯式の施錠装置である。
【００３０】
発明１４に係る携帯式の施錠装置は、発明１２の携帯式の施錠装置において、例えば図１、図２、図５、図１４及び図１７のように、
前記ブラケット体は、
係合形状７９に棒体１及び蓋体２の少なくとも一方を係合させてから係止形状６を錠本体１２が係止可能な位置まで移動させることで、略Ｕ字状棒体８又は線状体６１を係合可能な係合形状８０（９１）を有する、
携帯式の施錠装置である。
【００３１】
発明１５に係る携帯式の施錠装置は、例えば図６及び図７のように、
一端に第１嵌合形状及び内部への入口を備える、屈曲不能な棒体１と、
前記第１嵌合形状に嵌合可能な第２嵌合形状を一端に備え、前記嵌合によって前記入口に蓋をする蓋体２と、
棒体１に一端５が揺動可能に支持される、屈曲不能な略U字状棒体８と、
略U字状棒体８の他端７に設けられる係止形状６と、
棒体１に設けられて係止形状６を係止可能な錠本体１２と、
棒体１の他端及び蓋体２の他端のどちらかに備えられる発光素子と、
前記入口から棒体１の内部に抜き差し可能である電池と、
前記電池から前記発光素子に電気を伝える電気制御伝達経路と、
を備える、
携帯式の施錠装置である。
【００３２】
発明１６に係る携帯式の施錠装置は、例えば図６、図７、図１５及び図１６を用いて説明すると、
一端に第１嵌合形状及び内部への入口を備える、屈曲不能な棒体１bと、
前記第１嵌合形状に嵌合可能な第２嵌合形状を一端に備え、前記嵌合によって前記入口に蓋をする蓋体２bと、
棒体１bに一端５が揺動可能に支持される、屈曲不能な略U字状棒体８と、
棒体１bに設けられる係止形状６eと、
略U字状棒体８の他端７に設けられて係止形状６eを係止可能な錠本体１２eと、
棒体１bの他端及び蓋体２bの他端のどちらかに備えられる発光素子と、
前記入口から棒体１bの内部に抜き差し可能である電池と、
前記電池から前記発光素子に電気を伝える電気制御伝達経路と、
を備える、
携帯式の施錠装置である。
【００３３】
発明１７に係る携帯式の施錠装置は、例えば図６、図７、図９及び図１０を用いて説明すると、
一端に第１嵌合形状及び内部への入口を備える、屈曲不能な棒体１bと、
前記第１嵌合形状に嵌合可能な第２嵌合形状を一端に備え、前記嵌合によって前記入口に蓋をする蓋体２bと、
棒体１bに設けられた係合形状５８cに一端５９cが係合可能で、屈曲不能な略U字状棒体８と、
略U字状棒体８の他端７に設けられる係止形状６と、
棒体１bに設けられて係止形状６を係止可能な錠本体１２bと、
棒体１bの他端及び蓋体２bの他端のどちらかに備えられる発光素子と、
前記入口から棒体１bの内部に抜き差し可能である電池と、
前記電池から前記発光素子に電気を伝える電気制御伝達経路と、
を備える、
携帯式の施錠装置である。
【００３４】
発明１８に係る携帯式の施錠装置は、例えば図６、図７、図９、図１０、図１５及び図１６を用いて説明すると、
一端に第１嵌合形状及び内部への入口を備える、屈曲不能な棒体１bと、
前記第１嵌合形状に嵌合可能な第２嵌合形状を一端に備え、前記嵌合によって前記入口に蓋をする蓋体２bと、
棒体１bに設けられた係合形状５８cに一端５９cが係合可能で、屈曲不能な略U字状棒体８と、
棒体１bに設けられる係止形状６eと、
略U字状棒体８の他端７に設けられて係止形状６eを係止可能な錠本体１２eと、
棒体１bの他端及び蓋体２bの他端のどちらかに備えられる発光素子と、
前記入口から棒体１bの内部に抜き差し可能である電池と、
前記電池から前記発光素子に電気を伝える電気制御伝達経路と、
を備える、
携帯式の施錠装置である。
【００３５】
発明１９に係る携帯式の施錠装置は、例えば図６、図７、図１２及び図１３を用いて説明すると、
一端に第１嵌合形状及び内部への入口を備える、屈曲不能な棒体１bと、
前記第１嵌合形状に嵌合可能な第２嵌合形状を一端に備え、前記嵌合によって前記入口に蓋をする蓋体２bと、
棒体１bに一端６０dが接続される、屈曲可能な線状体６１dと、
線状体６１dの他端７に設けられる係止形状６と、
棒体１bに設けられて係止形状６を係止可能な錠本体１２bと、
棒体１bの他端及び蓋体２bの他端のどちらかに備えられる発光素子と、
前記入口から棒体１bの内部に抜き差し可能である電池と、
前記電池から前記発光素子に電気を伝える電気制御伝達経路と、
を備える、
携帯式の施錠装置である。
【００３６】
発明２０に係る携帯式の施錠装置は、例えば図６、図７、図１２、図１３、図１５及び図１６を用いて説明すると、
一端に第１嵌合形状及び内部への入口を備える、屈曲不能な棒体１bと、
前記第１嵌合形状に嵌合可能な第２嵌合形状を一端に備え、前記嵌合によって前記入口に蓋をする蓋体２bと、
棒体１bに一端６０dが接続される、屈曲可能な線状体６１dと、
棒体１bに設けられる係止形状６eと、
線状体６１dの他端７に設けられて係止形状６eを係止可能な錠本体１２eと、
棒体１bの他端及び蓋体２bの他端のどちらかに備えられる発光素子と、
前記入口から棒体１bの内部に抜き差し可能である電池と、
前記電池から前記発光素子に電気を伝える電気制御伝達経路と、
を備える、
携帯式の施錠装置である。
【００３７】
発明２１に係る携帯式の施錠装置は、発明１５、発明１７及び発明１９のいずれかの携帯式の施錠装置において、例えば図６及び図７のように、
棒体１bに設けられて係止形状６を挿入可能な穴１３bを備え、
錠本体１２bは穴１３bから挿入された係止形状６を係止可能である、
携帯式の施錠装置である。
【００３８】
発明２２に係る携帯式の施錠装置は、発明２１の携帯式の施錠装置において、例えば図３、図６及び図７を用いて説明すると、
発光素子２６aは、
棒体１b及び蓋体２bの一方、の他端に備えられる、
携帯式の施錠装置である。
【００３９】
発明２３に係る携帯式の施錠装置は、発明２２の携帯式の施錠装置において、例えば図２、図３、図４、図６及び図７を用いて説明すると、
前記電気制御伝達経路は、
錠本体１２bと一対となる鍵１１bによって開閉される、
携帯式の施錠装置である。
【００４０】
発明２４に係る携帯式の施錠装置は、発明１６及び発明１８の携帯式の施錠装置において、例えば図６、図７、図１５及び図１６のように、
略U字状棒体８の他端７に設けられて係止形状６eを挿入可能な穴１３eを備え、
錠本体１２eは穴１３eから挿入された係止形状６eを係止可能である、
携帯式の施錠装置である。
【００４１】
発明２５に係る携帯式の施錠装置は、発明２０の携帯式の施錠装置において、例えば図６、図７、図１２、図１３、図１５及び図１６を用いて説明すると、
線状体６１dの他端７に設けられて係止形状６eを挿入可能な穴１３eを備え、
錠本体１２eは穴１３eから挿入された係止形状６eを係止可能である、
携帯式の施錠装置である。
【００４２】
発明２６に係る携帯式の施錠装置は、発明１５から発明２５のいずれかの携帯式の施錠装置において、例えば図１、図２、図５、図８、図１１、図１４及び図１７のように、
自転車を構成する棒状部７６を囲うように取り付け可能で、棒体１bを係合可能な係合形状７９を有するブラケット体を新たに備える、
携帯式の施錠装置である。
【００４３】
発明２７に係る携帯式の施錠装置は、発明１５から発明２５のいずれかの携帯式の施錠装置において、例えば図１、図２、図５、図８、図１４及び図１７のように、
自転車を構成する棒状部７６を囲うように取り付け可能で、略Ｕ字状棒体８又は線状体６１を係合可能な係合形状８０（９１）を有するブラケット体を新たに備える、
携帯式の施錠装置である。
【００４４】
発明２８に係る携帯式の施錠装置は、発明２６の携帯式の施錠装置において、例えば図１、図２、図５、図８、図１４及び図１７のように、
前記ブラケット体は、
係合形状７９に棒体１bを係合させてから係止形状６を錠本体１２が係止可能な位置まで移動させることで、略Ｕ字状棒体８又は線状体６１を係合可能な係合形状８０（９１）を有する、
携帯式の施錠装置である。
【発明の効果】
【００４５】
以上のように本発明では、電気ランプが盗難にあう可能性が低く、自転車のハンドル等から工具なしで手軽に取り外し可能で、衝撃等から電池や電気制御伝達経路等を守ることが容易で、筐体を放熱器として有効利用できる可能性が高い、電気ランプでありながら、自転車の駐輪時等は従来のシャックル錠（U字錠）のように信頼性の高い錠として使用可能である。
【００４６】
さらに発明１から発明６によると、電池を取り外し可能にしながら、新たな錠機構を必要とせずに、電池の盗難も防ぐことが可能となる。
【００４７】
さらに発明９及び発明２３によると、新たな錠機構を必要とせずに、鍵を持たない第三者に勝手に電気ランプを点灯されて、電池が浪費されることを防ぐことが可能となる。
【００４８】
さらに発明１４及び発明２８によると、自転車のハンドル等にループ状の施錠箇所が無くても、電気ランプが盗難にあう可能性を低いままにでき、また、電気ランプを毎回決まった角度に強固に固定できるので、電気ランプの光軸がずれる心配がなくなる。また、例えば自転車の錠として使用する場合、走行中の錠の保管場所に困らない。
【発明を実施するための最良の形態】
【００４９】
以下に記載の実施形態において、棒体１の第１嵌合形状及び蓋体２の第２嵌合形状による嵌合は、記載の内容以外にも様々な方法がそれぞれの実施形態において適用できることは当業者には明らかである。
例えば、ボスとスロットによって棒体１及び蓋体２の相対直線運動方向と範囲や相対回転運動方向と範囲を決定するような嵌合、スプライン嵌合、適度な挿入力を伴う嵌合、等が考えられる。
【００５０】
〔第１実施形態〕
図１から図４において、アルミ製の筒１５aを骨格とする棒体１aは、前端部にステンレス製のリング１４aが圧入嵌合されており、外郭がビニールコーティング１６aされている。
また、リング１４aには両持ちの支持部３aが一体に設けられており、ステンレス製の略U字状棒体８aの一端５aが支持部３aの中央に挿入されて、一端５aに開けられた穴にステンレス製のピン４aを通してから、支持部３aにピン４aを圧入嵌合して固定し、略U字状棒体８aはピン４aを中心に揺動可能に支持される。
また、略U字状棒体８aの他端７aには、切欠き状の係止形状６aが設けられ、また、一端５aと他端７a以外の部分はビニールコーティングされている。
【００５１】
また、棒体１aの前端部に穴１０aが開いており、穴１０aの中には外側から順に、ポリカーボネイト製の円形窓２４a、シリコンゴム製のリング２５a、アルミ製の基板２７a、シリコンゴム製のリング２８a、ガラスエポキシ製の基板３０aが嵌合されている。
また、円形窓２４aは穴１０aの中に接着剤で接着されて、穴１０aの中への水の進入を防いでいる。
また、円形窓２４aは発光素子２６aが発する光１００aの配光を制御する為に、凹凸をもったレンズ形状であっても良い。
【００５２】
また、基板２７aの中央には発光ダイオードである発光素子２６aが実装されており、発光素子２６aのカソード端子は基板２７aを通じて筒１５aに電気的に接続されている。
また、発光素子２６aは基板２７aを通じて筒１５aに熱的にも接続されている。
また、筒１５aの内部にはリチウム乾電池である電池１７aが挿入されており、プラス端子は基板３０aの中央に設けられた電極３１aに電気的に接続されており、マイナス端子はステンレス製線材にニッケルメッキを施した円錐状のコイルバネ３３aに電気的に接続されている。
また、基板３０aには発光素子２６aを最適に制御するための電圧昇圧回路や電流制限回路が実装されており、これらの回路を通ってからジャンパー線２９aによって発光素子２６aのアノード端子に接続されている。
【００５３】
また、棒体１aの後端部の、筒１５aの内側の螺合部１８aには、第１嵌合形状である雌ネジが切られており、またアルミ製の筒３２aを骨格とする蓋体２aの前端部の、筒３２aの外側の螺合部１８aには、第２嵌合形状である雄ネジが切られている。これらの雌ネジと雄ネジが螺合されることで、筒１５aと筒３２aは電気的に接続されると共に、他端７aが蓋体２aに設けられた穴１３aに挿入されることで、中心軸線２１aを中心に棒体１aと蓋体２aは相対回転がほぼ不能となり、結果的に第１嵌合形状と第２嵌合形状は分割不能となる。
また、予め雄ネジ部の根元にはめられたシールリング１９aによって、螺合された棒体１aと蓋体２aの端面部９aから棒体１a内部への水の浸入が防がれる。
【００５４】
また、蓋体２aの後端部には錠本体１２aの外筒２２aが圧入嵌合されている。この錠本体１２aは、外筒２２aと内筒２３aからなるシリンダ錠であり、鍵穴に錠本体１２aと一対となる鍵１１aを挿入することで、ピン形状のタンブラによる外筒２２aと内筒２３aの係止が解かれ、中心軸線２１aを中心に相対回転が可能となる。
また、穴１３aに挿入された他端７aの係止形状６aに係合可能な係止片４５aが内筒２３aと一体に成型されており、係止形状６aに係止片４５aが係合されることで、略U字状棒体８aの他端７aは錠本体１２aに係止されることになる。
【００５５】
また、コイルバネ３３aはガラスエポキシ製の基板３４aに実装されており、電極４１aと電気的に接続されている。また、基板３４a上の電極３５aは筒３２aと電気的に接続されている。また、中心軸線２１aを中心に回転するポリエチレン製の回転体４９aは、前端部から順にピン形状４０a、回転電極３６a、フランジ形状４３a、シールリング４４a、保持爪４７aを備え、ピン形状４０aは基板３４aの中心に設けられた穴に隙間嵌合され、回転電極３６aは適度なバネ特性をもって基板３４aに接触しており、回転角度に応じて電極３５aと電極４１aを開閉し、フランジ形状４３aは、回転体４９aを回転可能に支持する支持体３７aに押し当てられて、回転体４９aの中心軸線２１aに沿う移動を制限し、シールリング４４aは支持体３７aと回転体４９aの間に設けられて棒体１aの内部への水の浸入を防ぎ、保持爪４７aは内筒２３aに設けられた穴４６aに係合されるアーム体４８aと回転体４９aが中心軸線２１aを中心に相対回転不能に嵌合されたあとに嵌合を保持するものである。
また、支持体３７aはポリエチレン製で、基板３４aを保持爪４２aで保持し、筒３２aの凸形状３８aを保持爪３９aで保持すると共に、凸形状３８aと支持体３７aの間には接着剤が塗られており、棒体１a内部への水の浸入を防いでいる。
【００５６】
また、錠本体１２aに挿入された鍵１１aは、水平な位置にすることで開錠され、水平な位置から中心軸線２１aを中心に時計回りに９０度回転させることで施錠され、さらに時計回りに３０度回転させると、施錠は維持されたままで、電池１７aと発光素子２６aを結ぶ電気制御伝達経路が閉じられ、穴１０aから光１００aが照射される。また、鍵１１aの消灯位置と点灯位置の間に、クリック感を発生させる為のバネとカムによるような機構が設けられるとなお良い。
【００５７】
〔第２実施形態〕
図６から図８において、アルミ製の棒体１bの前端部付近には両持ちの支持部３bが一体に設けられており、クロムモリブデン鋼製の略U字状棒体８bの一端５bが支持部３bの中央に挿入されて、一端５bに開けられた穴にステンレス製のピン４bを通してから、支持部３bにピン４bを圧入嵌合して固定し、略U字状棒体８bはピン４bを中心に揺動可能に支持される。
また、略U字状棒体８bの他端７bには、切欠き状の係止形状６bが設けられ、また、一端５bと他端７b以外の部分はビニールコーティングされている。
また棒体１bの前端部には第１嵌合形状である穴が設けられている。
また、棒体１bに設けられた穴１３bに他端７bが挿入され、錠本体１２bによって係止形状６bが係止される。
【００５８】
また、アルミ製の蓋体２bに一体に設けられた板部５６bも、略U字状棒体８bの一端５bと同様に、支持部３bに揺動可能に支持されており、この部分で棒体１bと蓋体２bは電気的に接続されている。また蓋体２bに設けられた第２嵌合形状は僅かに後端部が細くなった円柱形のゴム詮５５bであり、ゴム詮５５bの中央部には棒体１bの内部に収納された電池のプラス端子と電気的に接続される電極３１bが設けられている。
また、蓋体２bの内部にはハロゲンバルブである発光素子が設けられており、発光素子の電気端子の一方は電極３１bに、他方は蓋体２bに接続されている。
また、蓋体２bの前端部に設けられた穴１０bから発光素子の光が照射される。
【００５９】
また、第１嵌合形状と第２嵌合形状を嵌合させて蓋体２bを閉じたあとは、蓋体２bに設けられたキャッチ５１bに、棒体１bに圧入嵌合されたピン５４bを中心に揺動可能に設けられたラッチレバー５２b上の穴５３bを中心に揺動可能に設けられたリングバネ５０bをかけてからラッチレバー５２bを倒してラッチさせる、トグルラッチ機構によって蓋体２bは係止される。
また、トグルラッチ機構に新たに錠機構を設けて、電池の盗難を防止しても良い。
また、棒体１bに電池を挿入した後、蓋体２bをネジ止めや接着等によって容易に開閉できないようにしたうえで、電池の充電用の電気端子や、燃料補充の為のノズルを外部に露出させても良い。
また、錠本体１２bや、電気制御伝達経路の開閉に用いる電気スイッチ部分は、第１実施形態と同等である。
【００６０】
〔第３実施形態〕
図９から図１１において、アルミ製の棒体１cの前端部付近には係合形状５８cである穴の設けられた突起５７cが一体に設けられており、ステンレス製の略U字状棒体８cの一端５９cが係合形状５８cである穴に挿入されて係合される。
また、略U字状棒体８cの他端７cには、切り欠き状の係止形状６cが設けられ、また、一端５９cと他端７c以外の部分はビニールコーティングされている。
また、棒体１cの前端部に穴１０cが開いており、ここから発光素子の光が照射される。
また、蓋体２cに設けられた穴１３cに他端７cが挿入され、錠本体１２cによって係止形状６cが係止される。このとき他端７cを穴１３cに挿入する方向と、一端５９cを係合形状５８cである穴に挿入する方向は、ほぼ同じである。
また、第１嵌合形状と第２嵌合形状、錠本体１２c、電気制御伝達経路の開閉に用いる電気スイッチ部分は、第１実施形態と同等である。
【００６１】
〔第４実施形態〕
図１２から図１４において、ステンレス製の棒体１dの前端部付近にはステンレス製複よりワイヤーである、屈曲可能な線状体６１dの一端６０dが圧着によって強固に接続されている。
ここで、屈曲可能な線状体６１dはチェーン状のものや、数箇所のみ折り曲げ可能な棒体等であっても良い。
また、線状体６１dの他端７dには、全周を切り欠かれた係止形状６dをもつ、ステンレス製の円柱部材が強固に圧着されている。また、線状体６１dの他端７d以外の部分はビニールコーティングされている。
また、棒体１dの前端部に穴１０dが開いており、ここから発光素子の光が照射される。
また、ステンレス製の蓋体２dに設けられた穴１３dに他端７dが挿入され、錠本体１２dによって係止形状６dが係止される。
また、第１嵌合形状と第２嵌合形状、錠本体１２d、電気制御伝達経路の開閉に用いる電気スイッチ部分は、第１実施形態と同等である。
【００６２】
〔第５実施形態〕
図１５から図１７において、アルミ製の棒体１eの前端部付近には両持ちの支持部３eが一体に設けられており、アルミ製の略U字状棒体８eの一端５eが支持部３eの中央に挿入されて、一端５eに開けられた穴にステンレス製のピン４eを通してから、支持部３eにピン４eを圧入嵌合して固定し、略U字状棒体８eはピン４eを中心に揺動可能に支持される。
また、略U字状棒体８eの他端７eには錠本体１２eが設けられる。
また、棒体１eの前端部に穴１０eが開いており、ここから発光素子の光が照射される。
また、アルミ製の蓋体２eに圧入嵌合されたステンレス製の円柱部材６２eには切り欠き状の係止形状６eが設けられており、他端７eに設けられた穴１３eに円柱部材６２eが挿入され、錠本体１２eによって係止形状６eが係止される。
また、電気制御伝達経路の開閉に用いる電気スイッチは、蓋体２eの後端部に設置され、防水用のシリコンゴム製のキャップ６３eを介して押されるプッシュスイッチであり、押す毎に電気制御伝達経路の開閉が切り替わる。
また、第１嵌合形状と第２嵌合形状、錠本体１２eは、第１実施形態と同様である。
【００６３】
〔ブラケット体の実施形態〕
図１、図２、図５、図８、図１１、図１４及び図１７に様々なブラケット体の実施形態を記載した。以下に記載する様々なブラケット体の実施形態は、以上に記載の第１実施形態から第５実施形態のいずれに対しても適用可能である。
【００６４】
〔ブラケット体の第１実施形態〕
図１、図２、図５及び図８において、ブラケット体は上下に分割可能で、上側７０p、下側７２p共にポリアセタール製で、上側７０pの前部にはネジ７１pが穴７８pに頭８３pを隠されるように貫通穴８２pを貫通して、後部にはネジ８７pが穴８５pに頭８６pを隠されるように貫通穴８８pを貫通して、それぞれ接続されている。また、下部７２pの前部には埋め込み式のナット８４pが貫通穴８１pの中に、後部には埋め込み式のナット８９pが貫通穴９０pの中に、それぞれ埋め込まれている。
また、自転車のハンドルのパイプである棒状部７６に巻かれた樹脂製のスペーサー７４pを挟み込むように、上下から上側７０pと下側７２pが設置され、ネジ７１pとナット８４p、ネジ８７pとナット８９pがそれぞれ螺合することでブラケット体はハンドル上に固定される。また、棒状部７６の外径に合わせてスペーサー７４pの厚みを変えたり、挿入しなかったりすることで、様々なパイプ径に対応することが可能となる。
また、スペーサー７４pを偏心形状にしたり、ブラケット体とのアタリ面を球面状にしてボールピボットのようにしたりして、棒状部７６に対するブラケット体の取り付け方向を様々に調整できるようにしても良い。
また、固定されたブラケット体の上側７０pと下側７２pの間の前部には隙間７３pが開いているが、後部の隙間７５pはほぼゼロであり、ブラケット体を棒状部７６に組み付けた状態でのブラケット体のサイズが安定するが、スペーサー７４pの調整が難しい場合は、隙間７５pを広げても良い。
また、上側７０pの棒体１と当たる部分には、棒体１に係合するように凹形の係合形状７９pが、下側７２pの略U字状棒体８の当たる部分には、略U字状棒体８に係合するように凹形の係合形状８０p及び係合形状９１pが設けられている。これらの係合形状７９p、係合形状８０p及び係合形状９１pに、棒体１及び略U字状棒体８を係合させてから、係止形状６を錠本体１２で係止することで、携帯型の施錠装置はブラケット体に施錠されると共に、穴７８p及び穴８５pが棒体１又は蓋体２に蓋をされて、ネジ７１p及びネジ８７pを緩められる心配が無くなるので、ブラケット体もハンドルに施錠されることになる。
また、係合形状８０pにはゴムシート等の弾性体が設けられたり、上側７０pと一体にバネ形状が成型されたりして、携帯型の施錠装置のガタツキを抑えるようにしてもよい。
また、ブラケット体を棒状部７６に組み付ける際に、ネジを使用したが、ネジの替わりに偏心カムとカム操作レバーを有する締め付け機構を利用しても良い。
また、図８は、ブラケット体を上下逆に棒状部７６に組み付けた例である。
【００６５】
〔ブラケット体の第２実施形態〕
図１１において、ブラケット体は上下に分割不能で、上側７０qはポリアセタール製で、上側７０qの後部にはネジ７１qが穴に頭を隠されるように貫通穴を貫通して接続されている。
また、上側７０qの前部から棒状部７６を巻き込むようにして後部付近まで伸ばされた帯状部９３qは上側７０qに一体成型されており、帯状部９３qの先端付近には埋め込み式のナットが貫通穴の中に埋め込まれている。
また、自転車のハンドルのパイプである棒状部７６に巻かれたゴム製のスペーサー７４qを巻き込むように上側７０qと帯状部９３qが設置され、ネジ７１qとナットが螺合することでブラケット体はハンドル上に固定される。また、棒状部７６の外径に合わせてスペーサー７４qの厚みを変えたり、挿入しなかったりすることで、様々なパイプ径に対応することが可能となる。
また、スペーサー７４qを偏心形状にしたり、ブラケット体とのアタリ面を球面状にしてボールピボットのようにしたりして、棒状部７６に対するブラケット体の取り付け方向を様々に調整できるようにしても良い。
また、上側７０qの棒体１及び蓋体２と当たる部分には、棒体１及び蓋体２に係合するように筒形の係合形状７９qが設けられている。この係合形状７９qに、棒体１及び蓋体２を挿入、係合させてから、係止形状６を錠本体１２で係止することで、携帯式の施錠装置はブラケット体に施錠されると共に、ネジ７１qの頭が隠された穴が棒体１又は蓋体２に蓋をされて、ネジ７１qを緩められる心配が無くなるので、ブラケット体もハンドルに施錠されることになる。
また、ブラケット体を棒状部７６に組み付ける際に、ネジを使用したが、ネジの替わりに偏心カムとカム操作レバーを有する締め付け機構を利用しても良い。
また、係合形状７９qに割を入れて、筒形の部分の断面形状が略Ｃ字状になるようにしても良い。
【００６６】
〔ブラケット体の第３実施形態〕
ブラケット体の第３実施形態は、ブラケット体の第１実施形態において、図１４のように、係合形状８０p及び係合形状９１pは係合形状８０rに統合されており、ブラケット体に携帯型の施錠装置を施錠した際に、線状体６１が係合形状８０rから脱線しないように、滑らかに沿うように、係合形状８０rは成型されている。
【００６７】
〔ブラケット体の第４実施形態〕
ブラケット体の第４実施形態は、ブラケット体の第１実施形態において、図１７のように、上側７０p及び下側７２pは上側７０sに統合されており、元々下側７２pであった部分には、全体として弾力性を有するように肉抜き形状９２sが設けられており、ブラケット体に携帯型の施錠装置を施錠した際にガタツキが発生するのを防ぐ。
【図面の簡単な説明】
【００６８】
【図１】第１実施形態の開錠状態を表す図
【図２】ブラケット体の第１実施形態を棒状部７６に組み付け、第１実施形態の携帯型の施錠装置をブラケット体に施錠し、発光素子２６を点灯させた状態を表す図
【図３】第１実施形態の施錠状態を表す破断面図
【図４】図３の蓋体２a付近を拡大表示した図
【図５】ブラケット体の第１実施形態の破断面図
【図６】第２実施形態の開錠状態を表す図
【図７】第２実施形態の施錠状態を表す図
【図８】ブラケット体の第１実施形態を上下逆に棒状部７６に組み付け、第２実施形態の携帯型の施錠装置をブラケット体に施錠した状態を表す図
【図９】第３実施形態の開錠状態を表す図
【図１０】第３実施形態の施錠状態を表す図
【図１１】ブラケット体の第２実施形態を棒状部７６に組み付け、第３実施形態の携帯型の施錠装置をブラケット体に施錠した状態を表す図
【図１２】第４実施形態の開錠状態を表す図
【図１３】第４実施形態の施錠状態を表す図
【図１４】ブラケット体の第３実施形態を棒状部７６に組み付け、第４実施形態の携帯型の施錠装置をブラケット体に施錠した状態を表す図
【図１５】第５実施形態の開錠状態を表す図
【図１６】第５実施形態の施錠状態を表す図
【図１７】ブラケット体の第４実施形態を棒状部７６に組み付け、第５実施形態の携帯型の施錠装置をブラケット体に施錠した状態を表す図
【符号の説明】
【００６９】
１                                                     棒体
２                                                     蓋体
３                                                     支持部
４,５４                                            ピン
５,５９  ,６０                                       一端
６                                                     係止形状
７                                                     他端
８                                                     略U字状棒体
９                                                     端面部
１０,１３,４６,５３,７８,８５              穴
１１                                                 鍵
１２                                                 錠本体
１４,２５,２８                                   リング
１５,３２                                          筒
１６,２０                                          ビニールコーティング
１７                                                 電池
１８                                                 螺合部
１９,４４                                          シールリング
２１                                                 中心軸線
２２                                                 外筒
２３                                                 内筒
２４                                                 円形窓
２６                                                 発光素子
２７,３０,３４                                   基板
２９                                                 ジャンパー線
３１,３５,４１                                   電極
３３                                                 コイルバネ
３６                                                 回転電極
３７                                                 支持体
３８                                                 凸形状
３９,４２,４７                                   保持爪
４０                                                 ピン形状
４３                                                 フランジ形状
４５                                                 係止片
４８                                                 アーム体
４９                                                 回転体
５０                                                 リングバネ
５１                                                 キャッチ
５２                                                 ラッチレバー
５５                                                 ゴム詮
５６                                                 板部
５７                                                 突起
５８,７９,８０,９１                            係合形状
６１                                                 線状体
６２                                                 円柱部材
６３                                                 キャップ
７０                                                 上側
７１,８７                                          ネジ
７２                                                 下側
７３,７５,７７                                   隙間
７４                                                 スペーサー
７６                                                 棒状部
８１,８２,８８,９０                            貫通穴
８３,８６                                          頭
８４,８９                                          ナット
９２                                                 肉抜き形状
９３                                                 帯状部
１００                                             光
【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
一端に第１嵌合形状及び内部への入口を備える、屈曲不能な棒体と、
前記第１嵌合形状に嵌合可能な第２嵌合形状を一端に備え、前記嵌合によって前記入口に蓋をする、屈曲不能な蓋体と、
前記棒体及び前記蓋体の一方、に一端が揺動可能に支持される、屈曲不能な略U字状棒体と、
前記略U字状棒体の他端に設けられる係止形状と、
前記棒体及び前記蓋体の他方、に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備え、
前記嵌合された状態で、前記錠本体が前記係止形状を係止している際は、前記嵌合が外れる方向に前記棒体と前記蓋体が相対移動して前記入口に蓋をしている前記蓋体が外れるのを前記略Ｕ字状棒体が妨げる、
携帯式の施錠装置。
【請求項２】
一端に第１嵌合形状及び内部への入口を備える、屈曲不能な棒体と、
前記第１嵌合形状に嵌合可能な第２嵌合形状を一端に備え、前記嵌合によって前記入口に蓋をする、屈曲不能な蓋体と、
前記棒体及び前記蓋体の一方、に一端が揺動可能に支持される、屈曲不能な略U字状棒体と、
前記棒体及び前記蓋体の他方、に設けられる係止形状と、
前記略U字状棒体の他端に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備え、
前記嵌合された状態で、前記錠本体が前記係止形状を係止している際は、前記嵌合が外れる方向に前記棒体と前記蓋体が相対移動して前記入口に蓋をしている前記蓋体が外れるのを前記略Ｕ字状棒体が妨げる、
携帯式の施錠装置。
【請求項３】
一端に第１嵌合形状及び内部への入口を備える、屈曲不能な棒体と、
前記第１嵌合形状に嵌合可能な第２嵌合形状を一端に備え、前記嵌合によって前記入口に蓋をする、屈曲不能な蓋体と、
前記棒体及び前記蓋体の一方、に設けられた係合形状に一端が係合可能で、屈曲不能な略U字状棒体と、
前記略U字状棒体の他端に設けられる係止形状と、
前記棒体及び前記蓋体の他方、に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備え、
前記嵌合された状態で、前記係合形状に略Ｕ字状棒体の一端が係合され、前記錠本体が前記係止形状を係止している際は、前記嵌合が外れる方向に前記棒体と前記蓋体が相対移動して前記入口に蓋をしている前記蓋体が外れるのを前記略Ｕ字状棒体が妨げる、
携帯式の施錠装置。
【請求項４】
一端に第１嵌合形状及び内部への入口を備える、屈曲不能な棒体と、
前記第１嵌合形状に嵌合可能な第２嵌合形状を一端に備え、前記嵌合によって前記入口に蓋をする、屈曲不能な蓋体と、
前記棒体及び前記蓋体の一方、に設けられた係合形状に一端が係合可能で、屈曲不能な略U字状棒体と、
前記棒体及び前記蓋体の他方、に設けられる係止形状と、
前記略U字状棒体の他端に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備え、
前記嵌合された状態で、前記係合形状に略Ｕ字状棒体の一端が係合され、前記錠本体が前記係止形状を係止している際は、前記嵌合が外れる方向に前記棒体と前記蓋体が相対移動して前記入口に蓋をしている前記蓋体が外れるのを前記略Ｕ字状棒体が妨げる、
携帯式の施錠装置。
【請求項５】
一端に第１嵌合形状及び内部への入口を備える、屈曲不能な棒体と、
前記第１嵌合形状に嵌合可能な第２嵌合形状を一端に備え、前記嵌合によって前記入口に蓋をする、屈曲不能な蓋体と、
前記棒体及び前記蓋体の一方、に一端が接続される、屈曲可能な線状体と、
前記線状体の他端に設けられる係止形状と、
前記棒体及び前記蓋体の他方、に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備え、
前記嵌合された状態で、前記錠本体が前記係止形状を係止している際は、前記嵌合が外れる方向に前記棒体と前記蓋体が相対移動して前記入口に蓋をしている前記蓋体が外れるのを前記線状体が妨げる、
携帯式の施錠装置。
【請求項６】
一端に第１嵌合形状及び内部への入口を備える、屈曲不能な棒体と、
前記第１嵌合形状に嵌合可能な第２嵌合形状を一端に備え、前記嵌合によって前記入口に蓋をする、屈曲不能な蓋体と、
前記棒体及び前記蓋体の一方、に一端が接続される、屈曲可能な線状体と、
前記棒体及び前記蓋体の他方、に設けられる係止形状と、
前記線状体の他端に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備え、
前記嵌合された状態で、前記錠本体が前記係止形状を係止している際は、前記嵌合が外れる方向に前記棒体と前記蓋体が相対移動して前記入口に蓋をしている前記蓋体が外れるのを前記線状体が妨げる、
携帯式の施錠装置。
【請求項７】
一端に第１嵌合形状及び内部への入口を備える、屈曲不能な棒体と、
前記第１嵌合形状に嵌合可能な第２嵌合形状を一端に備え、前記嵌合によって前記入口に蓋をする蓋体と、
前記棒体に一端が揺動可能に支持される、屈曲不能な略U字状棒体と、
前記略U字状棒体の他端に設けられる係止形状と、
前記棒体に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備える、
携帯式の施錠装置。
【請求項８】
一端に第１嵌合形状及び内部への入口を備える、屈曲不能な棒体と、
前記第１嵌合形状に嵌合可能な第２嵌合形状を一端に備え、前記嵌合によって前記入口に蓋をする蓋体と、
前記棒体に一端が揺動可能に支持される、屈曲不能な略U字状棒体と、
前記棒体に設けられる係止形状と、
前記略U字状棒体の他端に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備える、
携帯式の施錠装置。
【請求項９】
一端に第１嵌合形状及び内部への入口を備える、屈曲不能な棒体と、
前記第１嵌合形状に嵌合可能な第２嵌合形状を一端に備え、前記嵌合によって前記入口に蓋をする蓋体と、
前記棒体に設けられた係合形状に一端が係合可能で、屈曲不能な略U字状棒体と、
前記略U字状棒体の他端に設けられる係止形状と、
前記棒体に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備える、
携帯式の施錠装置。
【請求項１０】
一端に第１嵌合形状及び内部への入口を備える、屈曲不能な棒体と、
前記第１嵌合形状に嵌合可能な第２嵌合形状を一端に備え、前記嵌合によって前記入口に蓋をする蓋体と、
前記棒体に設けられた係合形状に一端が係合可能で、屈曲不能な略U字状棒体と、
前記棒体に設けられる係止形状と、
前記略U字状棒体の他端に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備える、
携帯式の施錠装置。
【請求項１１】
一端に第１嵌合形状及び内部への入口を備える、屈曲不能な棒体と、
前記第１嵌合形状に嵌合可能な第２嵌合形状を一端に備え、前記嵌合によって前記入口に蓋をする蓋体と、
前記棒体に一端が接続される、屈曲可能な線状体と、
前記線状体の他端に設けられる係止形状と、
前記棒体に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備える、
携帯式の施錠装置。
【請求項１２】
一端に第１嵌合形状及び内部への入口を備える、屈曲不能な棒体と、
前記第１嵌合形状に嵌合可能な第２嵌合形状を一端に備え、前記嵌合によって前記入口に蓋をする蓋体と、
前記棒体に一端が接続される、屈曲可能な線状体と、
前記棒体に設けられる係止形状と、
前記線状体の他端に設けられて前記係止形状を係止可能な錠本体と、
前記棒体の他端及び前記蓋体の他端のどちらかに備えられる発光素子と、
前記入口から前記棒体の内部に抜き差し可能である電池と、
前記電池から前記発光素子に電気を伝える電気制御伝達経路と、
を備える、
携帯式の施錠装置。
【請求項１３】
前記係止形状を挿入可能な穴を前記棒体に備え、
前記錠本体は前記穴から挿入された前記係止形状を係止可能である、
請求項７、請求項９及び請求項１１のいずれかに記載の携帯式の施錠装置。
【請求項１４】
前記係止形状を挿入可能な穴を前記略U字状棒体の他端に備え、
前記錠本体は前記穴から挿入された前記係止形状を係止可能である、
請求項８及び請求項１０のいずれかに記載の携帯式の施錠装置。
【請求項１５】
前記係止形状を挿入可能な穴を前記線状体の他端に備え、
前記錠本体は前記穴から挿入された前記係止形状を係止可能である、
請求項１２に記載の携帯式の施錠装置。
【請求項１６】
前記電気制御伝達経路は、
前記錠本体と一対となる鍵によって開閉される、
請求項１３に記載の携帯式の施錠装置。
【請求項１７】
自転車を構成する棒状部の外周を囲うように取り付け可能で、前記棒体に係合可能な係合形状を有するブラケット体を新たに備える、
請求項７から請求項１６のいずれかに記載の携帯式の施錠装置。
【請求項１８】
自転車を構成する棒状部の外周を囲うように取り付け可能で、前記略Ｕ字状棒体に係合可能な係合形状を有するブラケット体を新たに備える、
請求項７から請求項１０のいずれかに記載の携帯式の施錠装置。
【請求項１９】
自転車を構成する棒状部の外周を囲うように取り付け可能で、前記線状体に係合可能な係合形状を有するブラケット体を新たに備える、
請求項１１から請求項１２のいずれかに記載の携帯式の施錠装置。
【請求項２０】
自転車を構成する棒状部の外周を囲うように取り付け可能で、前記棒体に係合可能な係合形状を有するブラケット体を新たに備え、
前記ブラケット体の前記係合形状を前記棒体に係合させてから前記係止形状を前記錠本体が係止可能な位置まで移動させることで、前記ブラケット体は前記棒体及び前記略Ｕ字状棒体に囲まれる位置で前記略Ｕ字状棒体に係合可能な係合形状も有し、前記携帯式の施錠装置は前記ブラケット体に係止される、
請求項７から請求項１０のいずれかに記載の携帯式の施錠装置。
【請求項２１】
自転車を構成する棒状部の外周を囲うように取り付け可能で、前記棒体に係合可能な係合形状を有するブラケット体を新たに備え、
前記ブラケット体の前記係合形状を前記棒体に係合させてから前記係止形状を前記錠本体が係止可能な位置まで移動させることで、前記ブラケット体は前記棒体及び前記線状体に囲まれる位置で前記線状体に係合可能な係合形状も有し、前記携帯式の施錠装置は前記ブラケット体に係止される、
請求項１１から請求項１２のいずれかに記載の携帯式の施錠装置。
【手続補正２】
【補正対象書類名】明細書
【補正対象項目名】全文
【補正方法】変更
【補正の内容】
【発明の詳細な説明】
【技術分野】
【０００１】
本発明は、携帯式の施錠装置に関する。
【背景技術】
【０００２】
携帯式の施錠装置においては、特許文献１及び特許文献２のように被施錠物に略Ｕ字状棒を通してから略Ｕ字状棒に略Ｉ字状棒を係止することで施錠するものや、特許文献３のように被施錠物にワイヤーを通してからワイヤーがループ状になるように係止することで施錠するものがよく知られている。
【０００３】
【特許文献１】特開２００２−３０９８２９号公報
【特許文献２】実開平０４−１１１８７８号公報
【特許文献３】特開２００２−３７１７３８号公報
【０００４】
携帯式の電気ランプにおいては、手で握って対象物を照らす懐中電灯や、バンドによって頭に装着して両手を自由にし、夜釣り等を行うものや、専用のブラケットによって自転車のハンドル等に装着し、前方の路面を照らすものなどがある。
【０００５】
また、携帯式の電気ランプの中でも自転車用の電気ランプは、スポーツタイプの自転車のように自転車用発電機の回転抵抗、重量、取り付けの手間が敬遠される場合や、電気ランプの盗難に備えて手軽に電気ランプを付け外ししたい場合に使用されることが多い。（特許文献４参照）
【０００６】
【特許文献４】特開２００１−２３３２６４号公報
【０００７】
いずれの電気ランプにおいても、小型、軽量で、十分明るくても電池の持続時間が長いものが好まれている。これらの要素を実現するために、真空バルブが主流だった発光素子において、近年は高性能なハロゲンバルブや照明用発光ダイオードが採用され、将来的には照明用有機ELも注目されており、また、マンガン乾電池やニッケルカドミウム充電池が主流だった電池においても、近年はリチウム乾電池やリチウムイオン充電池が採用され、将来的には燃料電池も注目されている。
【０００８】
また、特許文献５のように、自転車のフレームのフォーク部に設けられた係止形状に係止されることで車輪の回転を妨げるように施錠される略Ｉ字状棒に、電気ランプの機能をもたせたものが知られている。
【０００９】
【特許文献５】特開平１１−５９５２５号公報
【発明の開示】
【発明が解決しようとする課題】
【００１０】
近年及び将来的に高性能された電気式の発光素子によって電池の持続時間は飛躍的に伸びて、電池の交換頻度や充電頻度は減少すると考えられるが、それでも交換や充電を不要にすることは困難であり、自転車のハンドル等の電気ランプ設置場所から工具なしで手軽に取り外し出来ることが望まれるが、これが仇となって駐輪時等に高性能電気ランプが盗難に遭う可能性が高くなり、さらには電池が盗難にあう可能性も高くなってしまう。
【００１１】
これは、携帯式の施錠装置は二番手の施錠装置として用いられることが多く、短時間の買い物などでは携帯式の施錠装置は自転車の前カゴ等に入れっぱなしで施錠しないか、予め自転車のフレームに設置された馬蹄形錠のような施錠・開錠がとても速やかに完了できる一番手の施錠装置を使用することが多い為である。
【００１２】
また、自転車のフレームに予め設置されない、盗難防止を意識した二番手の施錠装置は、使用しないときの携帯性に難があるものが多く、例えばスポーツタイプの自転車のようにカゴの無い自転車では、ハンドルに引っ掛けて頑丈そうな施錠装置をふらふらさせながら走行しているのをよく見かける。
このような携帯方法はハンドル操作の妨げとなるし、フレームがアルミやカーボンで薄肉化され、美しい塗装が施されたスポーツタイプの自転車では、固定されずにふらふらと動く施錠装置がフレームを損傷することが非常に心苦しいし、自転車のフレームに予め設置される馬蹄形錠や特許文献５のような施錠装置は元々採用が困難である。
だからといって、施錠装置を使用しないときに施錠装置を折りたたんだり、収納したり、自転車等に固定する手間がかかれば、いざ使用しようとするときにも手間がかかり、ついつい施錠がおろそかになることも考えられる。
【００１３】
また、高性能化された電池は過充電、過放電、出力短絡等の保護回路を内蔵しているものが多く、また、高性能化された発光素子は制御回路を必要とするものが多く、衝撃や水の進入等に細心の注意を払う必要が生じてしまう。
【００１４】
また、小型化された電池や発光素子は、単独では十分な放熱性能を持ち合わせていないものが多く、熱をよく伝える金属性の筐体が有利となってくる。
【００１５】
そこで、電池や発光素子を熱や衝撃等から守る為だけに、頑丈な筐体を採用してしまうと、結局電気ランプが重くて大きいものに逆戻りしてしまい、電池や発光素子の進化によるメリットを享受できなくなってしまう。
【課題を解決するための手段】
【００１６】
本発明の実施形態図等を用いて以下に説明するが、これは本発明の内容をより把握しやすいようにする為で、添付の特許請求の範囲を縮小するものではない。
また、各図に記載の符号は数字のみ、あるいは数字とアルファベットの小文字で構成されているが、数字が同一であるということは、互いに対応している部分であることを表す。よって、数字のみの符号は、数字が同一であり数字とアルファベットの小文字で構成される符号を含む。
【００１７】
発明１に係る携帯式の施錠装置は、例えば図１から図４のように、
一端に第１嵌合形状及び内部への入口を備える、屈曲不能な棒体１と、
前記第１嵌合形状に嵌合可能な第２嵌合形状を一端に備え、前記嵌合によって前記入口に蓋をする、屈曲不能な蓋体２と、
棒体１及び蓋体２の一方、に一端５が揺動可能に支持される、屈曲不能な略U字状棒体８と、
略U字状棒体８の他端７に設けられる係止形状６と、
棒体１及び蓋体２の他方、に設けられて係止形状６を係止可能な錠本体１２と、
棒体１の他端及び蓋体２の他端のどちらかに備えられる発光素子２６と、
前記入口から棒体１の内部に抜き差し可能である電池１７と、
電池１７から発光素子２６に電気を伝える電気制御伝達経路と、
を備え、
前記嵌合された状態で、錠本体１２が係止形状６を係止している際は、前記嵌合が外れる方向に棒体１と蓋体２が相対移動して前記入口に蓋をしている蓋体２が外れるのを略Ｕ字状棒体８が妨げる、
携帯式の施錠装置である。
【００１８】
発明２に係る携帯式の施錠装置は、例えば図１５及び図１６のように、
一端に第１嵌合形状及び内部への入口を備える、屈曲不能な棒体１と、
前記第１嵌合形状に嵌合可能な第２嵌合形状を一端に備え、前記嵌合によって前記入口に蓋をする、屈曲不能な蓋体２と、
棒体１及び蓋体２の一方、に一端５が揺動可能に支持される、屈曲不能な略U字状棒体８と、
棒体１及び蓋体２の他方、に設けられる係止形状６と、
略U字状棒体８の他端７に設けられて係止形状６を係止可能な錠本体１２と、
棒体１の他端及び蓋体２の他端のどちらかに備えられる発光素子と、
前記入口から棒体１の内部に抜き差し可能である電池と、
前記電池から前記発光素子に電気を伝える電気制御伝達経路と、
を備え、
前記嵌合された状態で、錠本体１２が係止形状６を係止している際は、前記嵌合が外れる方向に棒体１と蓋体２が相対移動して前記入口に蓋をしている蓋体２が外れるのを略Ｕ字状棒体８が妨げる、
携帯式の施錠装置である。
【００１９】
発明３に係る携帯式の施錠装置は、例えば図９及び図１０のように、
一端に第１嵌合形状及び内部への入口を備える、屈曲不能な棒体１と、
前記第１嵌合形状に嵌合可能な第２嵌合形状を一端に備え、前記嵌合によって前記入口に蓋をする、屈曲不能な蓋体２と、
棒体１及び蓋体２の一方、に設けられた係合形状５８に一端５９が係合可能で、屈曲不能な略U字状棒体８と、
略U字状棒体８の他端に設けられる係止形状６と、
棒体１及び蓋体２の他方、に設けられて係止形状６を係止可能な錠本体１２と、
棒体１の他端及び蓋体２の他端のどちらかに備えられる発光素子と、
前記入口から棒体１の内部に抜き差し可能である電池と、
前記電池から前記発光素子に電気を伝える電気制御伝達経路と、
を備え、
前記嵌合された状態で、係合形状５８に略Ｕ字状棒体８の一端５９が係合され、錠本体１２が係止形状６を係止している際は、前記嵌合が外れる方向に棒体１と蓋体２が相対移動して前記入口に蓋をしている蓋体２が外れるのを略Ｕ字状棒体８が妨げる、
携帯式の施錠装置である。
【００２０】
発明４に係る携帯式の電気ランプは、例えば図９、図１０、図１５及び図１６を用いて説明すると、
一端に第１嵌合形状及び内部への入口を備える、屈曲不能な棒体１と、
前記第１嵌合形状に嵌合可能な第２嵌合形状を一端に備え、前記嵌合によって前記入口に蓋をする、屈曲不能な蓋体２と、
棒体１及び蓋体２の一方、に設けられた係合形状５８cに一端５９cが係合可能で、屈曲不能な略U字状棒体８と、
棒体１及び蓋体２の他方、に設けられる係止形状６eと、
略U字状棒体８の他端７eに設けられて係止形状６eを係止可能な錠本体１２eと、
棒体１の他端及び蓋体２の他端のどちらかに備えられる発光素子と、
前記入口から棒体１の内部に抜き差し可能である電池と、
前記電池から前記発光素子に電気を伝える電気制御伝達経路と、
を備え、
前記嵌合された状態で、係合形状５８cに略Ｕ字状棒体８の一端５９cが係合され、錠本体１２eが係止形状６eを係止している際は、前記嵌合が外れる方向に棒体１と蓋体２が相対移動して前記入口に蓋をしている蓋体２が外れるのを略Ｕ字状棒体８が妨げる、
携帯式の施錠装置である。
【００２１】
発明５に係る携帯式の施錠装置は、例えば図１２及び図１３のように、
一端に第１嵌合形状及び内部への入口を備える、屈曲不能な棒体１と、
前記第１嵌合形状に嵌合可能な第２嵌合形状を一端に備え、前記嵌合によって前記入口に蓋をする、屈曲不能な蓋体２と、
棒体１及び蓋体２の一方、に一端６０が接続される、屈曲可能な線状体６１と、
線状体６１の他端７に設けられる係止形状６と、
棒体１及び蓋体２の他方、に設けられて係止形状６を係止可能な錠本体１２と、
棒体１の他端及び蓋体２の他端のどちらかに備えられる発光素子と、
前記入口から前記棒体の内部に抜き差し可能である電池と、
前記電池から前記発光素子に電気を伝える電気制御伝達経路と、
を備え、
前記嵌合された状態で、錠本体１２が係止形状６を係止している際は、前記嵌合が外れる方向に棒体１と蓋体２が相対移動して前記入口に蓋をしている蓋体２が外れるのを線状体６１が妨げる、
携帯式の施錠装置。
【００２２】
発明６に係る携帯式の電気ランプは、例えば図１２、図１３、図１５及び図１６を用いて説明すると、
一端に第１嵌合形状及び内部への入口を備える、屈曲不能な棒体１と、
前記第１嵌合形状に嵌合可能な第２嵌合形状を一端に備え、前記嵌合によって前記入口に蓋をする、屈曲不能な蓋体２と、
棒体１及び蓋体２の一方、に一端６０dが接続される、屈曲可能な線状体６１dと、
棒体１及び蓋体２の他方、に設けられる係止形状６eと、
線状体６１dの他端７に設けられて係止形状６eを係止可能な錠本体１２eと、
棒体１の他端及び蓋体２の他端のどちらかに備えられる発光素子と、
前記入口から前記棒体の内部に抜き差し可能である電池と、
前記電池から前記発光素子に電気を伝える電気制御伝達経路と、
を備え、
前記嵌合された状態で、錠本体１２eが係止形状６eを係止している際は、前記嵌合が外れる方向に棒体１と蓋体２が相対移動して前記入口に蓋をしている蓋体２が外れるのを線状体６１が妨げる、
携帯式の施錠装置。
【００２３】
発明７に係る携帯式の施錠装置は、例えば図６及び図７のように、
一端に第１嵌合形状及び内部への入口を備える、屈曲不能な棒体１と、
前記第１嵌合形状に嵌合可能な第２嵌合形状を一端に備え、前記嵌合によって前記入口に蓋をする蓋体２と、
棒体１に一端５が揺動可能に支持される、屈曲不能な略U字状棒体８と、
略U字状棒体８の他端７に設けられる係止形状６と、
棒体１に設けられて係止形状６を係止可能な錠本体１２と、
棒体１の他端及び蓋体２の他端のどちらかに備えられる発光素子と、
前記入口から棒体１の内部に抜き差し可能である電池と、
前記電池から前記発光素子に電気を伝える電気制御伝達経路と、
を備える、
携帯式の施錠装置である。
【００２４】
発明８に係る携帯式の施錠装置は、例えば図６、図７、図１５及び図１６を用いて説明すると、
一端に第１嵌合形状及び内部への入口を備える、屈曲不能な棒体１bと、
前記第１嵌合形状に嵌合可能な第２嵌合形状を一端に備え、前記嵌合によって前記入口に蓋をする蓋体２bと、
棒体１bに一端５が揺動可能に支持される、屈曲不能な略U字状棒体８と、
棒体１bに設けられる係止形状６eと、
略U字状棒体８の他端７に設けられて係止形状６eを係止可能な錠本体１２eと、
棒体１bの他端及び蓋体２bの他端のどちらかに備えられる発光素子と、
前記入口から棒体１bの内部に抜き差し可能である電池と、
前記電池から前記発光素子に電気を伝える電気制御伝達経路と、
を備える、
携帯式の施錠装置である。
【００２５】
発明９に係る携帯式の施錠装置は、例えば図６、図７、図９及び図１０を用いて説明すると、
一端に第１嵌合形状及び内部への入口を備える、屈曲不能な棒体１bと、
前記第１嵌合形状に嵌合可能な第２嵌合形状を一端に備え、前記嵌合によって前記入口に蓋をする蓋体２bと、
棒体１bに設けられた係合形状５８cに一端５９cが係合可能で、屈曲不能な略U字状棒体８と、
略U字状棒体８の他端７に設けられる係止形状６と、
棒体１bに設けられて係止形状６を係止可能な錠本体１２bと、
棒体１bの他端及び蓋体２bの他端のどちらかに備えられる発光素子と、
前記入口から棒体１bの内部に抜き差し可能である電池と、
前記電池から前記発光素子に電気を伝える電気制御伝達経路と、
を備える、
携帯式の施錠装置である。
【００２６】
発明１０に係る携帯式の施錠装置は、例えば図６、図７、図９、図１０、図１５及び図１６を用いて説明すると、
一端に第１嵌合形状及び内部への入口を備える、屈曲不能な棒体１bと、
前記第１嵌合形状に嵌合可能な第２嵌合形状を一端に備え、前記嵌合によって前記入口に蓋をする蓋体２bと、
棒体１bに設けられた係合形状５８cに一端５９cが係合可能で、屈曲不能な略U字状棒体８と、
棒体１bに設けられる係止形状６eと、
略U字状棒体８の他端７に設けられて係止形状６eを係止可能な錠本体１２eと、
棒体１bの他端及び蓋体２bの他端のどちらかに備えられる発光素子と、
前記入口から棒体１bの内部に抜き差し可能である電池と、
前記電池から前記発光素子に電気を伝える電気制御伝達経路と、
を備える、
携帯式の施錠装置である。
【００２７】
発明１１に係る携帯式の施錠装置は、例えば図６、図７、図１２及び図１３を用いて説明すると、
一端に第１嵌合形状及び内部への入口を備える、屈曲不能な棒体１bと、
前記第１嵌合形状に嵌合可能な第２嵌合形状を一端に備え、前記嵌合によって前記入口に蓋をする蓋体２bと、
棒体１bに一端６０dが接続される、屈曲可能な線状体６１dと、
線状体６１dの他端７に設けられる係止形状６と、
棒体１bに設けられて係止形状６を係止可能な錠本体１２bと、
棒体１bの他端及び蓋体２bの他端のどちらかに備えられる発光素子と、
前記入口から棒体１bの内部に抜き差し可能である電池と、
前記電池から前記発光素子に電気を伝える電気制御伝達経路と、
を備える、
携帯式の施錠装置である。
【００２８】
発明１２に係る携帯式の施錠装置は、例えば図６、図７、図１２、図１３、図１５及び図１６を用いて説明すると、
一端に第１嵌合形状及び内部への入口を備える、屈曲不能な棒体１bと、
前記第１嵌合形状に嵌合可能な第２嵌合形状を一端に備え、前記嵌合によって前記入口に蓋をする蓋体２bと、
棒体１bに一端６０dが接続される、屈曲可能な線状体６１dと、
棒体１bに設けられる係止形状６eと、
線状体６１dの他端７に設けられて係止形状６eを係止可能な錠本体１２eと、
棒体１bの他端及び蓋体２bの他端のどちらかに備えられる発光素子と、
前記入口から棒体１bの内部に抜き差し可能である電池と、
前記電池から前記発光素子に電気を伝える電気制御伝達経路と、
を備える、
携帯式の施錠装置である。
【００２９】
発明１３に係る携帯式の施錠装置は、発明７、発明９及び発明１１のいずれかの携帯式の施錠装置において、例えば図６及び図７のように、
係止形状６を挿入可能な穴１３bを棒体１bに備え、
錠本体１２bは穴１３bから挿入された係止形状６を係止可能である、
携帯式の施錠装置である。
【００３０】
発明１４に係る携帯式の施錠装置は、発明８及び発明１０のいずれかの携帯式の施錠装置において、例えば図６、図７、図１５及び図１６のように、
係止形状６eを挿入可能な穴１３eを略U字状棒体８の他端７に備え、
錠本体１２eは穴１３eから挿入された係止形状６eを係止可能である、
携帯式の施錠装置である。
【００３１】
発明１５に係る携帯式の施錠装置は、発明１２の携帯式の施錠装置において、例えば図６、図７、図１２、図１３、図１５及び図１６を用いて説明すると、
係止形状６eを挿入可能な穴１３eを線状体６１dの他端７に備え、
錠本体１２eは穴１３eから挿入された係止形状６eを係止可能である、
携帯式の施錠装置である。
【００３２】
発明１６に係る携帯式の施錠装置は、発明１３の携帯式の施錠装置において、例えば図２、図３、図４、図６及び図７を用いて説明すると、
前記電気制御伝達経路は、
錠本体１２bと一対となる鍵１１bによって開閉される、
携帯式の施錠装置である。
【００３３】
発明１７に係る携帯式の施錠装置は、発明７から発明１６のいずれかの携帯式の施錠装置において、例えば図１、図２、図５、図８、図１１、図１４及び図１７のように、
自転車を構成する棒状部７６の外周を囲うように取り付け可能で、棒体１bに係合可能な係合形状７９を有するブラケット体を新たに備える、
携帯式の施錠装置である。
【００３４】
発明１８に係る携帯式の施錠装置は、発明７から発明１０のいずれかの携帯式の施錠装置において、例えば図１、図２、図５、図８、図１４及び図１７のように、
自転車を構成する棒状部７６の外周を囲うように取り付け可能で、略Ｕ字状棒体８に係合可能な係合形状８０（９１）を有するブラケット体を新たに備える、
携帯式の施錠装置である。
【００３５】
発明１９に係る携帯式の施錠装置は、発明１１から発明１２のいずれかの携帯式の施錠装置において、例えば図１、図２、図５、図８、図１４及び図１７のように、
自転車を構成する棒状部７６の外周を囲うように取り付け可能で、線状体６１に係合可能な係合形状８０（９１）を有するブラケット体を新たに備える、
携帯式の施錠装置である。
【００３６】
発明２０に係る携帯式の施錠装置は、発明７から発明１０のいずれかの携帯式の施錠装置において、例えば図１、図２、図５、図８、図１４及び図１７のように、
自転車を構成する棒状部７６の外周を囲うように取り付け可能で、棒体１bに係合可能な係合形状７９を有するブラケット体を新たに備え、
前記ブラケット体の係合形状７９を棒体１bに係合させてから係止形状６を錠本体１２が係止可能な位置まで移動させることで、前記ブラケット体は棒体１b及び略Ｕ字状棒体８に囲まれる位置で略Ｕ字状棒体８に係合可能な係合形状８０（９１）も有し、前記携帯式の施錠装置は前記ブラケット体に係止される、
携帯式の施錠装置である。
【００３７】
発明２１に係る携帯式の施錠装置は、発明１１から発明１２のいずれかの携帯式の施錠装置において、例えば図１、図２、図５、図８、図１４及び図１７のように、
自転車を構成する棒状部７６の外周を囲うように取り付け可能で、棒体１bに係合可能な係合形状７９を有するブラケット体を新たに備え、
前記ブラケット体の係合形状７９を棒体１bに係合させてから係止形状６を錠本体１２が係止可能な位置まで移動させることで、前記ブラケット体は棒体１b及び線状体６１に囲まれる位置で線状体６１に係合可能な係合形状８０（９１）も有し、前記携帯式の施錠装置は前記ブラケット体に係止される、
携帯式の施錠装置である。
【発明の効果】
【００３８】
以上のように本発明では、電気ランプが盗難にあう可能性が低く、自転車のハンドル等から工具なしで手軽に取り外し可能で、衝撃等から電池や電気制御伝達経路等を守ることが容易で、筐体を放熱器として有効利用できる可能性が高い、電気ランプでありながら、自転車の駐輪時等は従来のシャックル錠（U字錠）のように信頼性の高い錠として使用可能である。
【００３９】
さらに発明１から発明６のいずれかによると、本発明の効果に加えて、電池を取り外し可能にしながら、新たな錠機構を必要とせずに、電池の盗難も防ぐことが可能となる。
【００４０】
さらに発明１６によると、本発明の効果に加えて、新たな錠機構を必要とせずに、鍵を持たない第三者に勝手に電気ランプを点灯されて、電池が浪費されることを防ぐことが可能となる。
【００４１】
さらに発明２０から発明２１のいずれかによると、本発明の効果に加えて、自転車のハンドル等にループ状の施錠箇所が無くても、電気ランプが盗難にあう可能性を低いままにでき、また、電気ランプを毎回決まった角度に強固に固定できるので、電気ランプの光軸がずれる心配がなくなる。また、例えば自転車の錠として使用する場合、走行中の錠の保管場所に困らない。
【発明を実施するための最良の形態】
【００４２】
以下に記載の実施形態において、棒体１の第１嵌合形状及び蓋体２の第２嵌合形状による嵌合は、記載の内容以外にも様々な方法がそれぞれの実施形態において適用できることは当業者には明らかである。
例えば、ボスとスロットによって棒体１及び蓋体２の相対直線運動方向と範囲や相対回転運動方向と範囲を決定するような嵌合、スプライン嵌合、適度な挿入力を伴う嵌合、等が考えられる。
【００４３】
〔第１実施形態〕
図１から図４において、アルミ製の筒１５aを骨格とする棒体１aは、前端部にステンレス製のリング１４aが圧入嵌合されており、外郭がビニールコーティング１６aされている。
また、リング１４aには両持ちの支持部３aが一体に設けられており、ステンレス製の略U字状棒体８aの一端５aが支持部３aの中央に挿入されて、一端５aに開けられた穴にステンレス製のピン４aを通してから、支持部３aにピン４aを圧入嵌合して固定し、略U字状棒体８aはピン４aを中心に揺動可能に支持される。
また、略U字状棒体８aの他端７aには、切欠き状の係止形状６aが設けられ、また、一端５aと他端７a以外の部分はビニールコーティングされている。
【００４４】
また、棒体１aの前端部に穴１０aが開いており、穴１０aの中には外側から順に、ポリカーボネイト製の円形窓２４a、シリコンゴム製のリング２５a、アルミ製の基板２７a、シリコンゴム製のリング２８a、ガラスエポキシ製の基板３０aが嵌合されている。
また、円形窓２４aは穴１０aの中に接着剤で接着されて、穴１０aの中への水の進入を防いでいる。
また、円形窓２４aは発光素子２６aが発する光１００aの配光を制御する為に、凹凸をもったレンズ形状であっても良い。
【００４５】
また、基板２７aの中央には発光ダイオードである発光素子２６aが実装されており、発光素子２６aのカソード端子は基板２７aを通じて筒１５aに電気的に接続されている。
また、発光素子２６aは基板２７aを通じて筒１５aに熱的にも接続されている。
また、筒１５aの内部にはリチウム乾電池である電池１７aが挿入されており、プラス端子は基板３０aの中央に設けられた電極３１aに電気的に接続されており、マイナス端子はステンレス製線材にニッケルメッキを施した円錐状のコイルバネ３３aに電気的に接続されている。
また、基板３０aには発光素子２６aを最適に制御するための電圧昇圧回路や電流制限回路が実装されており、これらの回路を通ってからジャンパー線２９aによって発光素子２６aのアノード端子に接続されている。
【００４６】
また、棒体１aの後端部の、筒１５aの内側の螺合部１８aには、第１嵌合形状である雌ネジが切られており、またアルミ製の筒３２aを骨格とする蓋体２aの前端部の、筒３２aの外側の螺合部１８aには、第２嵌合形状である雄ネジが切られている。これらの雌ネジと雄ネジが螺合されることで、筒１５aと筒３２aは電気的に接続されると共に、他端７aが蓋体２aに設けられた穴１３aに挿入されることで、中心軸線２１aを中心に棒体１aと蓋体２aは相対回転がほぼ不能となり、結果的に第１嵌合形状と第２嵌合形状は分割不能となる。
また、予め雄ネジ部の根元にはめられたシールリング１９aによって、螺合された棒体１aと蓋体２aの端面部９aから棒体１a内部への水の浸入が防がれる。
【００４７】
また、蓋体２aの後端部には錠本体１２aの外筒２２aが圧入嵌合されている。この錠本体１２aは、外筒２２aと内筒２３aからなるシリンダ錠であり、鍵穴に錠本体１２aと一対となる鍵１１aを挿入することで、ピン形状のタンブラによる外筒２２aと内筒２３aの係止が解かれ、中心軸線２１aを中心に相対回転が可能となる。
また、穴１３aに挿入された他端７aの係止形状６aに係合可能な係止片４５aが内筒２３aと一体に成型されており、係止形状６aに係止片４５aが係合されることで、略U字状棒体８aの他端７aは錠本体１２aに係止されることになる。
【００４８】
また、コイルバネ３３aはガラスエポキシ製の基板３４aに実装されており、電極４１aと電気的に接続されている。また、基板３４a上の電極３５aは筒３２aと電気的に接続されている。また、中心軸線２１aを中心に回転するポリエチレン製の回転体４９aは、前端部から順にピン形状４０a、回転電極３６a、フランジ形状４３a、シールリング４４a、保持爪４７aを備え、ピン形状４０aは基板３４aの中心に設けられた穴に隙間嵌合され、回転電極３６aは適度なバネ特性をもって基板３４aに接触しており、回転角度に応じて電極３５aと電極４１aを開閉し、フランジ形状４３aは、回転体４９aを回転可能に支持する支持体３７aに押し当てられて、回転体４９aの中心軸線２１aに沿う移動を制限し、シールリング４４aは支持体３７aと回転体４９aの間に設けられて棒体１aの内部への水の浸入を防ぎ、保持爪４７aは内筒２３aに設けられた穴４６aに係合されるアーム体４８aと回転体４９aが中心軸線２１aを中心に相対回転不能に嵌合されたあとに嵌合を保持するものである。
また、支持体３７aはポリエチレン製で、基板３４aを保持爪４２aで保持し、筒３２aの凸形状３８aを保持爪３９aで保持すると共に、凸形状３８aと支持体３７aの間には接着剤が塗られており、棒体１a内部への水の浸入を防いでいる。
【００４９】
また、錠本体１２aに挿入された鍵１１aは、水平な位置にすることで開錠され、水平な位置から中心軸線２１aを中心に時計回りに９０度回転させることで施錠され、さらに時計回りに３０度回転させると、施錠は維持されたままで、電池１７aと発光素子２６aを結ぶ電気制御伝達経路が閉じられ、穴１０aから光１００aが照射される。また、鍵１１aの消灯位置と点灯位置の間に、クリック感を発生させる為のバネとカムによるような機構が設けられるとなお良い。
【００５０】
〔第２実施形態〕
図６から図８において、アルミ製の棒体１bの前端部付近には両持ちの支持部３bが一体に設けられており、クロムモリブデン鋼製の略U字状棒体８bの一端５bが支持部３bの中央に挿入されて、一端５bに開けられた穴にステンレス製のピン４bを通してから、支持部３bにピン４bを圧入嵌合して固定し、略U字状棒体８bはピン４bを中心に揺動可能に支持される。
また、略U字状棒体８bの他端７bには、切欠き状の係止形状６bが設けられ、また、一端５bと他端７b以外の部分はビニールコーティングされている。
また棒体１bの前端部には第１嵌合形状である穴が設けられている。
また、棒体１bに設けられた穴１３bに他端７bが挿入され、錠本体１２bによって係止形状６bが係止される。
【００５１】
また、アルミ製の蓋体２bに一体に設けられた板部５６bも、略U字状棒体８bの一端５bと同様に、支持部３bに揺動可能に支持されており、この部分で棒体１bと蓋体２bは電気的に接続されている。また蓋体２bに設けられた第２嵌合形状は僅かに後端部が細くなった円柱形のゴム詮５５bであり、ゴム詮５５bの中央部には棒体１bの内部に収納された電池のプラス端子と電気的に接続される電極３１bが設けられている。
また、蓋体２bの内部にはハロゲンバルブである発光素子が設けられており、発光素子の電気端子の一方は電極３１bに、他方は蓋体２bに接続されている。
また、蓋体２bの前端部に設けられた穴１０bから発光素子の光が照射される。
【００５２】
また、第１嵌合形状と第２嵌合形状を嵌合させて蓋体２bを閉じたあとは、蓋体２bに設けられたキャッチ５１bに、棒体１bに圧入嵌合されたピン５４bを中心に揺動可能に設けられたラッチレバー５２b上の穴５３bを中心に揺動可能に設けられたリングバネ５０bをかけてからラッチレバー５２bを倒してラッチさせる、トグルラッチ機構によって蓋体２bは係止される。
また、トグルラッチ機構に新たに錠機構を設けて、電池の盗難を防止しても良い。
また、棒体１bに電池を挿入した後、蓋体２bをネジ止めや接着等によって容易に開閉できないようにしたうえで、電池の充電用の電気端子や、燃料補充の為のノズルを外部に露出させても良い。
また、錠本体１２bや、電気制御伝達経路の開閉に用いる電気スイッチ部分は、第１実施形態と同等である。
【００５３】
〔第３実施形態〕
図９から図１１において、アルミ製の棒体１cの前端部付近には係合形状５８cである穴の設けられた突起５７cが一体に設けられており、ステンレス製の略U字状棒体８cの一端５９cが係合形状５８cである穴に挿入されて係合される。
また、略U字状棒体８cの他端７cには、切り欠き状の係止形状６cが設けられ、また、一端５９cと他端７c以外の部分はビニールコーティングされている。
また、棒体１cの前端部に穴１０cが開いており、ここから発光素子の光が照射される。
また、蓋体２cに設けられた穴１３cに他端７cが挿入され、錠本体１２cによって係止形状６cが係止される。このとき他端７cを穴１３cに挿入する方向と、一端５９cを係合形状５８cである穴に挿入する方向は、ほぼ同じである。
また、第１嵌合形状と第２嵌合形状、錠本体１２c、電気制御伝達経路の開閉に用いる電気スイッチ部分は、第１実施形態と同等である。
【００５４】
〔第４実施形態〕
図１２から図１４において、ステンレス製の棒体１dの前端部付近にはステンレス製複よりワイヤーである、屈曲可能な線状体６１dの一端６０dが圧着によって強固に接続されている。
ここで、屈曲可能な線状体６１dはチェーン状のものや、数箇所のみ折り曲げ可能な棒体等であっても良い。
また、線状体６１dの他端７dには、全周を切り欠かれた係止形状６dをもつ、ステンレス製の円柱部材が強固に圧着されている。また、線状体６１dの他端７d以外の部分はビニールコーティングされている。
また、棒体１dの前端部に穴１０dが開いており、ここから発光素子の光が照射される。
また、ステンレス製の蓋体２dに設けられた穴１３dに他端７dが挿入され、錠本体１２dによって係止形状６dが係止される。
また、第１嵌合形状と第２嵌合形状、錠本体１２d、電気制御伝達経路の開閉に用いる電気スイッチ部分は、第１実施形態と同等である。
【００５５】
〔第５実施形態〕
図１５から図１７において、アルミ製の棒体１eの前端部付近には両持ちの支持部３eが一体に設けられており、アルミ製の略U字状棒体８eの一端５eが支持部３eの中央に挿入されて、一端５eに開けられた穴にステンレス製のピン４eを通してから、支持部３eにピン４eを圧入嵌合して固定し、略U字状棒体８eはピン４eを中心に揺動可能に支持される。
また、略U字状棒体８eの他端７eには錠本体１２eが設けられる。
また、棒体１eの前端部に穴１０eが開いており、ここから発光素子の光が照射される。
また、アルミ製の蓋体２eに圧入嵌合されたステンレス製の円柱部材６２eには切り欠き状の係止形状６eが設けられており、他端７eに設けられた穴１３eに円柱部材６２eが挿入され、錠本体１２eによって係止形状６eが係止される。
また、電気制御伝達経路の開閉に用いる電気スイッチは、蓋体２eの後端部に設置され、防水用のシリコンゴム製のキャップ６３eを介して押されるプッシュスイッチであり、押す毎に電気制御伝達経路の開閉が切り替わる。
また、第１嵌合形状と第２嵌合形状、錠本体１２eは、第１実施形態と同様である。
【００５６】
〔ブラケット体の実施形態〕
図１、図２、図５、図８、図１１、図１４及び図１７に様々なブラケット体の実施形態を記載した。以下に記載する様々なブラケット体の実施形態は、以上に記載の第１実施形態から第５実施形態のいずれに対しても適用可能である。
【００５７】
〔ブラケット体の第１実施形態〕
図１、図２、図５及び図８において、ブラケット体は上下に分割可能で、上側７０p、下側７２p共にポリアセタール製で、上側７０pの前部にはネジ７１pが穴７８pに頭８３pを隠されるように貫通穴８２pを貫通して、後部にはネジ８７pが穴８５pに頭８６pを隠されるように貫通穴８８pを貫通して、それぞれ接続されている。また、下部７２pの前部には埋め込み式のナット８４pが貫通穴８１pの中に、後部には埋め込み式のナット８９pが貫通穴９０pの中に、それぞれ埋め込まれている。
また、自転車のハンドルのパイプである棒状部７６に巻かれた樹脂製のスペーサー７４pを挟み込むように、上下から上側７０pと下側７２pが設置され、ネジ７１pとナット８４p、ネジ８７pとナット８９pがそれぞれ螺合することでブラケット体はハンドル上に固定される。また、棒状部７６の外径に合わせてスペーサー７４pの厚みを変えたり、挿入しなかったりすることで、様々なパイプ径に対応することが可能となる。
また、スペーサー７４pを偏心形状にしたり、ブラケット体とのアタリ面を球面状にしてボールピボットのようにしたりして、棒状部７６に対するブラケット体の取り付け方向を様々に調整できるようにしても良い。
また、固定されたブラケット体の上側７０pと下側７２pの間の前部には隙間７３pが開いているが、後部の隙間７５pはほぼゼロであり、ブラケット体を棒状部７６に組み付けた状態でのブラケット体のサイズが安定するが、スペーサー７４pの調整が難しい場合は、隙間７５pを広げても良い。
また、上側７０pの棒体１と当たる部分には、棒体１に係合するように凹形の係合形状７９pが、下側７２pの略U字状棒体８の当たる部分には、略U字状棒体８に係合するように凹形の係合形状８０p及び係合形状９１pが設けられている。これらの係合形状７９p、係合形状８０p及び係合形状９１pに、棒体１及び略U字状棒体８を係合させてから、係止形状６を錠本体１２で係止することで、携帯型の施錠装置はブラケット体に施錠されると共に、穴７８p及び穴８５pが棒体１又は蓋体２に蓋をされて、ネジ７１p及びネジ８７pを緩められる心配が無くなるので、ブラケット体もハンドルに施錠されることになる。
また、係合形状８０pにはゴムシート等の弾性体が設けられたり、上側７０pと一体にバネ形状が成型されたりして、携帯型の施錠装置のガタツキを抑えるようにしてもよい。
また、ブラケット体を棒状部７６に組み付ける際に、ネジを使用したが、ネジの替わりに偏心カムとカム操作レバーを有する締め付け機構を利用しても良い。
また、図８は、ブラケット体を上下逆に棒状部７６に組み付けた例である。
【００５８】
〔ブラケット体の第２実施形態〕
図１１において、ブラケット体は上下に分割不能で、上側７０qはポリアセタール製で、上側７０qの後部にはネジ７１qが穴に頭を隠されるように貫通穴を貫通して接続されている。
また、上側７０qの前部から棒状部７６を巻き込むようにして後部付近まで伸ばされた帯状部９３qは上側７０qに一体成型されており、帯状部９３qの先端付近には埋め込み式のナットが貫通穴の中に埋め込まれている。
また、自転車のハンドルのパイプである棒状部７６に巻かれたゴム製のスペーサー７４qを巻き込むように上側７０qと帯状部９３qが設置され、ネジ７１qとナットが螺合することでブラケット体はハンドル上に固定される。また、棒状部７６の外径に合わせてスペーサー７４qの厚みを変えたり、挿入しなかったりすることで、様々なパイプ径に対応することが可能となる。
また、スペーサー７４qを偏心形状にしたり、ブラケット体とのアタリ面を球面状にしてボールピボットのようにしたりして、棒状部７６に対するブラケット体の取り付け方向を様々に調整できるようにしても良い。
また、上側７０qの棒体１及び蓋体２と当たる部分には、棒体１及び蓋体２に係合するように筒形の係合形状７９qが設けられている。この係合形状７９qに、棒体１及び蓋体２を挿入、係合させてから、係止形状６を錠本体１２で係止することで、携帯式の施錠装置はブラケット体に施錠されると共に、ネジ７１qの頭が隠された穴が棒体１又は蓋体２に蓋をされて、ネジ７１qを緩められる心配が無くなるので、ブラケット体もハンドルに施錠されることになる。
また、ブラケット体を棒状部７６に組み付ける際に、ネジを使用したが、ネジの替わりに偏心カムとカム操作レバーを有する締め付け機構を利用しても良い。
また、係合形状７９qに割を入れて、筒形の部分の断面形状が略Ｃ字状になるようにしても良い。
【００５９】
〔ブラケット体の第３実施形態〕
ブラケット体の第３実施形態は、ブラケット体の第１実施形態において、図１４のように、係合形状８０p及び係合形状９１pは係合形状８０rに統合されており、ブラケット体に携帯型の施錠装置を施錠した際に、線状体６１が係合形状８０rから脱線しないように、滑らかに沿うように、係合形状８０rは成型されている。
【００６０】
〔ブラケット体の第４実施形態〕
ブラケット体の第４実施形態は、ブラケット体の第１実施形態において、図１７のように、上側７０p及び下側７２pは上側７０sに統合されており、元々下側７２pであった部分には、全体として弾力性を有するように肉抜き形状９２sが設けられており、ブラケット体に携帯型の施錠装置を施錠した際にガタツキが発生するのを防ぐ。
【図面の簡単な説明】
【００６１】
【図１】第１実施形態の開錠状態を表す図
【図２】ブラケット体の第１実施形態を棒状部７６に組み付け、第１実施形態の携帯型の施錠装置をブラケット体に施錠し、発光素子２６を点灯させた状態を表す図
【図３】第１実施形態の施錠状態を表す破断面図
【図４】図３の蓋体２a付近を拡大表示した図
【図５】ブラケット体の第１実施形態の破断面図
【図６】第２実施形態の開錠状態を表す図
【図７】第２実施形態の施錠状態を表す図
【図８】ブラケット体の第１実施形態を上下逆に棒状部７６に組み付け、第２実施形態の携帯型の施錠装置をブラケット体に施錠した状態を表す図
【図９】第３実施形態の開錠状態を表す図
【図１０】第３実施形態の施錠状態を表す図
【図１１】ブラケット体の第２実施形態を棒状部７６に組み付け、第３実施形態の携帯型の施錠装置をブラケット体に施錠した状態を表す図
【図１２】第４実施形態の開錠状態を表す図
【図１３】第４実施形態の施錠状態を表す図
【図１４】ブラケット体の第３実施形態を棒状部７６に組み付け、第４実施形態の携帯型の施錠装置をブラケット体に施錠した状態を表す図
【図１５】第５実施形態の開錠状態を表す図
【図１６】第５実施形態の施錠状態を表す図
【図１７】ブラケット体の第４実施形態を棒状部７６に組み付け、第５実施形態の携帯型の施錠装置をブラケット体に施錠した状態を表す図
【符号の説明】
【００６２】
１                                                     棒体
２                                                     蓋体
３                                                     支持部
４,５４                                            ピン
５,５９  ,６０                                       一端
６                                                     係止形状
７                                                     他端
８                                                     略U字状棒体
９                                                     端面部
１０,１３,４６,５３,７８,８５              穴
１１                                                 鍵
１２                                                 錠本体
１４,２５,２８                                   リング
１５,３２                                          筒
１６,２０                                          ビニールコーティング
１７                                                 電池
１８                                                 螺合部
１９,４４                                          シールリング
２１                                                 中心軸線
２２                                                 外筒
２３                                                 内筒
２４                                                 円形窓
２６                                                 発光素子
２７,３０,３４                                   基板
２９                                                 ジャンパー線
３１,３５,４１                                   電極
３３                                                 コイルバネ
３６                                                 回転電極
３７                                                 支持体
３８                                                 凸形状
３９,４２,４７                                   保持爪
４０                                                 ピン形状
４３                                                 フランジ形状
４５                                                 係止片
４８                                                 アーム体
４９                                                 回転体
５０                                                 リングバネ
５１                                                 キャッチ
５２                                                 ラッチレバー
５５                                                 ゴム詮
５６                                                 板部
５７                                                 突起
５８,７９,８０,９１                            係合形状
６１                                                 線状体
６２                                                 円柱部材
６３                                                 キャップ
７０                                                 上側
７１,８７                                          ネジ
７２                                                 下側
７３,７５,７７                                   隙間
７４                                                 スペーサー
７６                                                 棒状部
８１,８２,８８,９０                            貫通穴
８３,８６                                          頭
８４,８９                                          ナット
９２                                                 肉抜き形状
９３                                                 帯状部
１００                                             光